(57)【要約】  本発明は、情報伝送方法及び装置、端末機器、ネットワーク機器を開示し、前記情報伝送方法は、端末機器が、第１メッセージをネットワーク機器に送信することを含み、前記第１メッセージは、ターゲットリソース領域内のダウンリンク制御チャネルに対する前記端末機器のブラインド検出のためのパラメータを含む。
2021531674.tif 000002
【特許請求の範囲】
【請求項１】
情報伝送方法であって、
端末機器が、第１メッセージをネットワーク機器に送信することを含み、前記第１メッセージは、ターゲットリソース領域内のダウンリンク制御チャネルに対する前記端末機器のブラインド検出のためのパラメータを含む、前記情報伝送方法。
【請求項２】
前記パラメータは、第１時間長を決定するために使用され、前記第１時間長は、前記端末機器が前記ターゲットリソース領域内のダウンリンク制御チャネルに対して
2021531674.tif 000059
のブラインド検出を実行するのに必要な時間を決定するために使用される、
請求項１に記載の情報伝送方法。
【請求項３】
前記端末機器が前記ターゲットリソース領域内のダウンリンク制御チャネルに対してＮ回のブラインド検出を実行するのに必要な時間の開始位置は、前記ターゲットリソース領域内の約束された時間領域位置である、
請求項２に記載の情報伝送方法。
【請求項４】
前記約束された時間領域位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である、
請求項３に記載の情報伝送方法。
【請求項５】
前記端末機器が前記ターゲットリソース領域内のダウンリンク制御チャネルに対してＮ回のブラインド検出を実行するのに必要な時間の長さは、前記第１時間長であり、又は、
前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである、
請求項３ないし４のいずれか一項に記載の情報伝送方法。
【請求項６】
前記ターゲットリソース領域は、
2021531674.tif 000060
のタイプの伝送リソース構成をサポートし、異なる伝送リソース構成は、異なる時間領域長さ及び／又は周波数領域長さを有し、
前記ターゲットリソース領域が、異なる伝送リソース構成を採用する場合、それに対応して前記Ｎの値は異なる、
請求項２ないし５のいずれか一項に記載の情報伝送方法。
【請求項７】
前記ターゲットリソース領域は、
2021531674.tif 000061
のタイプの伝送リソース構成をサポートし、異なる伝送リソース構成は、異なる時間領域長さ及び／又は周波数領域長さを有し、
前記パラメータは、
2021531674.tif 000062
の前記第１時間長を含み、Ｑ個の前記第１時間長は、それぞれ異なる伝送リソース構成に対応する、
請求項２ないし６のいずれか一項に記載の情報伝送方法。
【請求項８】
前記Ｎの値は、プロトコルによって約束されるか、前記端末機器によって前記ネットワーク機器に報告されるか、前記ネットワーク機器によって前記端末機器に構成される、
請求項２ないし７に記載の情報伝送方法。
【請求項９】
前記第１時間長は絶対時間長であり、又は、前記第１時間長は、時間領域シンボル長さの整数倍を含む、
請求項２ないし８に記載の情報伝送方法。
【請求項１０】
前記パラメータは、指定された時間内に前記ターゲットリソース領域内のダウンリンク制御チャネルに対して前記端末機器によって実行されるブラインド検出の最大ブラインド検出回数を決定するために使用される、
請求項１に記載の情報伝送方法。
【請求項１１】
前記指定された時間の開始位置は、前記ターゲットリソース領域内の約束された時間領域位置である、
請求項１０に記載の情報伝送方法。
【請求項１２】
前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である、
請求項１１に記載の情報伝送方法。
【請求項１３】
前記指定された時間の長さは、第２時間長であり、又は、
前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである、
請求項１１ないし１２のいずれか一項に記載の情報伝送方法。
【請求項１４】
前記第２時間長は、プロトコルによって約束されるか、前記端末機器によって前記ネットワーク機器に報告されるか、前記ネットワーク機器によって前記端末機器に構成される、
請求項１３に記載の情報伝送方法。
【請求項１５】
前記第２時間長は絶対時間長であり、又は、前記第２時間長は、時間領域シンボル長さの整数倍を含む、
請求項１３または１４のいずれか一項に記載の情報伝送方法。
【請求項１６】
前記ターゲットリソース領域は、
2021531674.tif 000063
のタイプの伝送リソース構成をサポートし、異なる伝送リソース構成は、異なる時間領域長さ及び／又は周波数領域長さを有し、
前記ターゲットリソース領域が、異なる伝送リソース構成を採用する場合、それに対応して前記最大ブラインド検出回数は異なる、
請求項１０ないし１５のいずれか一項に記載の情報伝送方法。
【請求項１７】
前記ターゲットリソース領域は、
2021531674.tif 000064
のタイプの伝送リソース構成をサポートし、異なる伝送リソース構成は、異なる時間領域長さ及び／又は周波数領域長さを有し、
前記パラメータは、
2021531674.tif 000065
の値を含み、前記Ｔ個の値は、それぞれ異なる伝送リソース構成に対応する、
請求項１０ないし１６のいずれか一項に記載の情報伝送方法。
【請求項１８】
前記ターゲットリソース領域は、制御リソースセットであり、又は、前記ターゲットリソース領域は、時間領域で連続する少なくとも１つの時間領域シンボルを含む。
請求項１ないし１７のいずれか一項に記載の情報伝送方法。
【請求項１９】
前記端末機器は、超高信頼性低遅延通信（ＵＲＬＬＣ）サービスをサポートする、
請求項１ないし１８のいずれか一項に記載の情報伝送方法。
【請求項２０】
情報伝送方法であって、
ネットワーク機器が、端末機器によって送信される第１メッセージを受信することを含み、前記第１メッセージは、ターゲットリソース領域内のダウンリンク制御チャネルに対する前記端末機器のブラインド検出のためのパラメータを含む、前記情報伝送方法。
【請求項２１】
前記パラメータは、第１時間長を決定するために使用され、前記第１時間長は、前記端末機器が前記ターゲットリソース領域内のダウンリンク制御チャネルに対して
2021531674.tif 000066
のブラインド検出を実行するのに必要な時間を決定するために使用される、
請求項２０に記載の情報伝送方法。
【請求項２２】
前記端末機器が前記ターゲットリソース領域内のダウンリンク制御チャネルに対してＮ回のブラインド検出を実行するのに必要な時間の開始位置は、前記ターゲットリソース領域内の約束された時間領域位置である、
請求項２１に記載の情報伝送方法。
【請求項２３】
前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である、
請求項２２に記載の情報伝送方法。
【請求項２４】
前記端末機器が前記ターゲットリソース領域内のダウンリンク制御チャネルに対してＮ回のブラインド検出を実行するのに必要な時間の長さは、前記第１時間長であり、又は、
前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである、
請求項２２ないし２３のいずれか一項に記載の情報伝送方法。
【請求項２５】
前記ターゲットリソース領域は、
2021531674.tif 000067
のタイプの伝送リソース構成をサポートし、異なる伝送リソース構成は、異なる時間領域長さ及び／又は周波数領域長さを有し、
前記ターゲットリソース領域が、異なる伝送リソース構成を採用する場合、それに対応して前記Ｎの値は異なる、
請求項２１ないし２４のいずれか一項に記載の情報伝送方法。
【請求項２６】
前記ターゲットリソース領域は、
2021531674.tif 000068
のタイプの伝送リソース構成をサポートし、異なる伝送リソース構成は、異なる時間領域長さ及び／又は周波数領域長さを有し、
前記パラメータは、
2021531674.tif 000069
の前記第１時間長を含み、Ｑ個の前記第１時間長は、それぞれ異なる伝送リソース構成に対応する、
請求項２１ないし２５のいずれか一項に記載の情報伝送方法。
【請求項２７】
前記Ｎの値は、プロトコルによって約束されるか、前記端末機器によって前記ネットワーク機器に報告されるか、前記ネットワーク機器によって前記端末機器に構成される、
請求項２１ないし２６のいずれか一項に記載の情報伝送方法。
【請求項２８】
前記第１時間長は絶対時間長であり、又は、前記第１時間長は、時間領域シンボル長さの整数倍を含む、
請求項２１ないし２７のいずれか一項に記載の情報伝送方法。
【請求項２９】
前記パラメータは、指定された時間内に前記ターゲットリソース領域内のダウンリンク制御チャネルに対して前記端末機器によって実行されるブラインド検出の最大ブラインド検出回数を決定するために使用される、
請求項２０に記載の情報伝送方法。
【請求項３０】
前記指定された時間の開始位置は、前記ターゲットリソース領域内の約束された時間領域位置である、
請求項２９に記載の情報伝送方法。
【請求項３１】
前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である、
請求項３０に記載の情報伝送方法。
【請求項３２】
前記指定された時間の長さは、第２時間長であり、又は、
前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである、
請求項３０ないし３１のいずれか一項に記載の情報伝送方法。
【請求項３３】
前記第２時間長は、プロトコルによって約束されるか、前記端末機器によって前記ネットワーク機器に報告されるか、前記ネットワーク機器によって前記端末機器に構成される、
請求項３２に記載の情報伝送方法。
【請求項３４】
前記第２時間長は絶対時間長であり、又は、前記第２時間長は、時間領域シンボル長さの整数倍を含む、
請求項３２または３３に記載の情報伝送方法。
【請求項３５】
前記ターゲットリソース領域は、
2021531674.tif 000070
のタイプの伝送リソース構成をサポートし、異なる伝送リソース構成は、異なる時間領域長さ及び／又は周波数領域長さを有し、
前記ターゲットリソース領域が、異なる伝送リソース構成を採用する場合、それに対応して前記最大ブラインド検出回数は異なる、
請求項２９ないし３４のいずれか一項に記載の情報伝送方法。
【請求項３６】
前記ターゲットリソース領域は、
2021531674.tif 000071
のタイプの伝送リソース構成をサポートし、異なる伝送リソース構成は、異なる時間領域長さ及び／又は周波数領域長さを有し、
前記パラメータは、
2021531674.tif 000072
の値を含み、前記Ｔ個の値は、それぞれ異なる伝送リソース構成に対応する、
請求項２９ないし３５のいずれか一項に記載の情報伝送方法。
【請求項３７】
前記ターゲットリソース領域は、制御リソースセットであり、又は、前記ターゲットリソース領域は、時間領域で連続する少なくとも１つの時間領域シンボルを含む、
請求項２０ないし３６のいずれか一項に記載の情報伝送方法。
【請求項３８】
前記端末機器は、ＵＲＬＬＣサービスをサポートする、
請求項２０ないし３７のいずれか一項に記載の情報伝送方法。
【請求項３９】
情報伝送装置であって、
第１メッセージをネットワーク機器に送信するように構成される送信ユニットを備え、前記第１メッセージは、ターゲットリソース領域内のダウンリンク制御チャネルに対する端末機器のブラインド検出のためのパラメータを含む、前記情報伝送装置。
【請求項４０】
前記パラメータは、第１時間長を決定するために使用され、前記第１時間長は、前記端末機器が前記ターゲットリソース領域内のダウンリンク制御チャネルに対して
2021531674.tif 000073
のブラインド検出を実行するのに必要な時間を決定するために使用される、
請求項３９に記載の情報伝送装置。
【請求項４１】
前記端末機器が前記ターゲットリソース領域内のダウンリンク制御チャネルに対してＮ回のブラインド検出を実行するのに必要な時間の開始位置は、前記ターゲットリソース領域内の約束された時間領域位置である、
請求項４０に記載の情報伝送装置。
【請求項４２】
前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である、
請求項４１に記載の情報伝送装置。
【請求項４３】
前記端末機器が前記ターゲットリソース領域内のダウンリンク制御チャネルに対してＮ回のブラインド検出を実行するのに必要な時間の長さは、前記第１時間長であり、又は、
前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである、
請求項４１ないし４２のいずれか一項に記載の情報伝送装置。
【請求項４４】
前記ターゲットリソース領域は、
2021531674.tif 000074
のタイプの伝送リソース構成をサポートし、異なる伝送リソース構成は、異なる時間領域長さ及び／又は周波数領域長さを有し、
前記ターゲットリソース領域が、異なる伝送リソース構成を採用する場合、それに対応して前記Ｎの値は異なる、
請求項４０ないし４３のいずれか一項に記載の情報伝送装置。
【請求項４５】
前記ターゲットリソース領域は、
2021531674.tif 000075
のタイプの伝送リソース構成をサポートし、異なる伝送リソース構成は、異なる時間領域長さ及び／又は周波数領域長さを有し、
前記パラメータは、
2021531674.tif 000076
の前記第１時間長を含み、Ｑ個の前記第１時間長は、それぞれ異なる伝送リソース構成に対応する、
請求項４０ないし４４のいずれか一項に記載の情報伝送装置。
【請求項４６】
前記Ｎの値は、プロトコルによって約束されるか、前記端末機器によって前記ネットワーク機器に報告されるか、前記ネットワーク機器によって前記端末機器に設定される、
請求項４０ないし４５のいずれか一項に記載の情報伝送装置。
【請求項４７】
前記第１時間長は絶対時間長であり、又は、前記第１時間長は、時間領域シンボル長さの整数倍を含む、
請求項４０ないし４６のいずれか一項に記載の情報伝送装置。
【請求項４８】
前記パラメータは、指定された時間内に前記ターゲットリソース領域内のダウンリンク制御チャネルに対して前記端末機器によって実行されるブラインド検出の最大ブラインド検出回数を決定するために使用される、
請求項３９に記載の情報伝送装置。
【請求項４９】
前記指定された時間の開始位置は、前記ターゲットリソース領域内の約束された時間領域位置である、
請求項４８に記載の情報伝送装置。
【請求項５０】
前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である、
請求項４９に記載の情報伝送装置。
【請求項５１】
前記指定された時間の長さは、第２時間長であり、又は、
前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである、
請求項４９ないし５０のいずれか一項に記載の情報伝送装置。
【請求項５２】
前記第２時間長は、プロトコルによって約束されるか、前記端末機器によって前記ネットワーク機器に報告されるか、前記ネットワーク機器によって前記端末機器に構成される、
請求項５１に記載の情報伝送装置。
【請求項５３】
前記第２時間長は絶対時間長であり、又は、前記第２時間長は、時間領域シンボル長さの整数倍を含む、
請求項５１または５２に記載の情報伝送装置。
【請求項５４】
前記ターゲットリソース領域は、
2021531674.tif 000077
のタイプの伝送リソース構成をサポートし、異なる伝送リソース構成は、異なる時間領域長さ及び／又は周波数領域長さを有し、
前記ターゲットリソース領域が、異なる伝送リソース構成を採用する場合、それに対応して前記最大ブラインド検出回数は異なる、
請求項４８ないし５３のいずれか一項に記載の情報伝送装置。
【請求項５５】
前記ターゲットリソース領域は、
2021531674.tif 000078
のタイプの伝送リソース構成をサポートし、異なる伝送リソース構成は、異なる時間領域長さ及び／又は周波数領域長さを有し、
前記パラメータは、
2021531674.tif 000079
の値を含み、前記Ｔ個の値は、それぞれ異なる伝送リソース構成に対応する、
請求項４８ないし５４のいずれか一項に記載の情報伝送装置。
【請求項５６】
前記ターゲットリソース領域は、制御リソースセットであり、又は、前記ターゲットリソース領域は、時間領域で連続する少なくとも１つの時間領域シンボルを含む、
請求項３９ないし５５のいずれか一項に記載の情報伝送装置。
【請求項５７】
前記端末機器は、ＵＲＬＬＣサービスをサポートする、
請求項３９ないし５６のいずれか一項に記載の情報伝送装置。
【請求項５８】
情報伝送装置であって、
端末機器によって送信される第１メッセージを受信するように構成される受信ユニットを備え、前記第１メッセージは、ターゲットリソース領域内のダウンリンク制御チャネルに対する前記端末機器のブラインド検出のためのパラメータを含む、前記情報伝送装置。
【請求項５９】
前記パラメータは、第１時間長を決定するために使用され、前記第１時間長は、前記端末機器が前記ターゲットリソース領域内のダウンリンク制御チャネルに対して
2021531674.tif 000080
のブラインド検出を実行するのに必要な時間を決定するために使用される、
請求項５８に記載の情報伝送装置。
【請求項６０】
前記端末機器が前記ターゲットリソース領域内のダウンリンク制御チャネルに対してＮ回のブラインド検出を実行するのに必要な時間の開始位置は、前記ターゲットリソース領域内の約束された時間領域位置である、
請求項５９に記載の情報伝送装置。
【請求項６１】
前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である、
請求項６０に記載の情報伝送装置。
【請求項６２】
前記端末機器が前記ターゲットリソース領域内のダウンリンク制御チャネルに対してＮ回のブラインド検出を実行するのに必要な時間の長さは、前記第１時間長であり、又は、
前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである、
請求項６０ないし６１のいずれか一項に記載の情報伝送装置。
【請求項６３】
前記ターゲットリソース領域は、
2021531674.tif 000081
のタイプの伝送リソース構成をサポートし、異なる伝送リソース構成は、異なる時間領域長さ及び／又は周波数領域長さを有し、
前記ターゲットリソース領域が、異なる伝送リソース構成を採用する場合、それに対応して前記Ｎの値は異なる、
請求項５９ないし６２のいずれか一項に記載の情報伝送装置。
【請求項６４】
前記ターゲットリソース領域は、
2021531674.tif 000082
のタイプの伝送リソース構成をサポートし、異なる伝送リソース構成は、異なる時間領域長さ及び／又は周波数領域長さを有し、
前記パラメータは、
2021531674.tif 000083
の前記第１時間長を含み、Ｑ個の前記第１時間長は、それぞれ異なる伝送リソース構成に対応する、
請求項５９ないし６２のいずれか一項に記載の情報伝送装置。
【請求項６５】
前記Ｎの値は、プロトコルによって約束されるか、前記端末機器によって前記ネットワーク機器に報告されるか、前記ネットワーク機器によって前記端末機器に構成される、
請求項５９ないし６４のいずれか一項に記載の情報伝送装置。
【請求項６６】
前記第１時間長は絶対時間長であり、又は、前記第１時間長は、時間領域シンボル長さの整数倍を含む、
請求項５９ないし６５のいずれか一項に記載の情報伝送装置。
【請求項６７】
前記パラメータは、指定された時間内に前記ターゲットリソース領域内のダウンリンク制御チャネルに対して前記端末機器によって実行されるブラインド検出の最大ブラインド検出回数を決定するために使用される、
請求項５８に記載の情報伝送装置。
【請求項６８】
前記指定された時間の開始位置は、前記ターゲットリソース領域内の約束された時間領域位置である、
請求項６７に記載の情報伝送装置。
【請求項６９】
前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である、
請求項６８に記載の情報伝送装置。
【請求項７０】
前記指定された時間の長さは、第２時間長であり、又は、
前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである、
請求項６８ないし６９のいずれか一項に記載の情報伝送装置。
【請求項７１】
前記第２時間長は、プロトコルによって約束されるか、前記端末機器によって前記ネットワーク機器に報告されるか、前記ネットワーク機器によって前記端末機器に構成される、
請求項７０に記載の情報伝送装置。
【請求項７２】
前記第２時間長は絶対時間長であり、又は、前記第２時間長は、時間領域シンボル長さの整数倍を含む、
請求項７０または７１に記載の情報伝送装置。
【請求項７３】
前記ターゲットリソース領域は、
2021531674.tif 000084
のタイプの伝送リソース構成をサポートし、異なる伝送リソース構成は、異なる時間領域長さ及び／又は周波数領域長さを有し、
前記ターゲットリソース領域が、異なる伝送リソース構成を採用する場合、それに対応して前記最大ブラインド検出回数は異なる、
請求項６７ないし７２のいずれか一項に記載の情報伝送装置。
【請求項７４】
前記ターゲットリソース領域は、
2021531674.tif 000085
のタイプの伝送リソース構成をサポートし、異なる伝送リソース構成は、異なる時間領域長さ及び／又は周波数領域長さを有し、
前記パラメータは、
2021531674.tif 000086
の値を含み、前記Ｔ個の値は、それぞれ異なる伝送リソース構成に対応する、
請求項６７ないし７３のいずれか一項に記載の情報伝送装置。
【請求項７５】
前記ターゲットリソース領域は、制御リソースセットであり、又は、前記ターゲットリソース領域は、時間領域で連続する少なくとも１つの時間領域シンボルを含む、
請求項５８ないし７４のいずれか一項に記載の情報伝送装置。
【請求項７６】
前記端末機器は、ＵＲＬＬＣサービスをサポートする、
請求項５８ないし７５のいずれか一項に記載の情報伝送装置。
【請求項７７】
端末機器であって、プロセッサと、メモリとを備え、前記メモリは、コンピュータプログラムを記憶するように構成され、前記プロセッサは、前記メモリに記憶されたコンピュータプログラムを呼び出して実行することにより、請求項１ないし１９のいずれか一項に記載の方法を実行するように構成される、前記端末機器。
【請求項７８】
ネットワーク機器であって、プロセッサと、メモリとを備え、前記メモリは、コンピュータプログラムを記憶するように構成され、前記プロセッサは、前記メモリに記憶されたコンピュータプログラムを呼び出して実行することにより、請求項２０ないし３８のいずれか一項に記載の方法を実行するように構成される、前記ネットワーク機器。
【請求項７９】
チップであって、プロセッサを備え、前記プロセッサは、メモリからコンピュータプログラムを呼び出して実行することにより、前記チップが搭載された機器に、請求項１ないし１９のいずれか一項に記載の方法、または請求項２０ないし３８のいずれか一項に記載の方法を実行させるように構成される、前記チップ。
【請求項８０】
コンピュータ可読記憶媒体であって、コンピュータプログラムを記憶するように構成され、前記コンピュータプログラムは、コンピュータに、請求項１ないし１９のいずれか一項に記載の方法、または請求項２０ないし３８のいずれか一項に記載の方法を実行させるように構成される、前記コンピュータ可読記憶媒体。
【請求項８１】
コンピュータプログラム製品であって、コンピュータプログラム命令を含み、前記コンピュータプログラム命令は、コンピュータに、請求項１ないし１９のいずれか一項に記載の方法、または請求項２０ないし３８のいずれか一項に記載の方法を実行させるように構成される、前記コンピュータプログラム製品。
【請求項８２】
コンピュータプログラムであって、コンピュータに、請求項１ないし１９のいずれか一項に記載の方法、または請求項２０ないし３８のいずれか一項に記載の方法を実行させるように構成される、前記コンピュータプログラム。
【発明の詳細な説明】
【技術分野】
【０００１】
本発明は、無線通信技術分野に関し、特に、情報伝送方法及び装置、ネットワーク機器に関するものである。
【背景技術】
【０００２】
サービスの速度、遅延、高速モビリティ、エネルギー効率に対する人々の追求、及び将来の生活中のサービスの多様性と複雑さを満たすために、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）国際標準化機構は、第５世代（５Ｇ：５ｔｈ  Ｇｅｎｅｒａｔｉｏｎ）モバイル通信技術の開発を開始した。
【０００３】
５Ｇニューラジオ（ＮＲ：Ｎｅｗ  Ｒａｄｉｏ）システムでは、超高信頼性低遅延通信（ＵＲＬＬＣ：Ｕｌｔｒａ−Ｒｅｌｉａｂｌｅ  Ｌｏｗ  Ｌａｔｅｎｃｙ  Ｃｏｍｍｕｎｉｃａｔｉｏｎ）サービスが導入され、当該サービスの特徴は、極端な遅延（１ｍｓなど）で超高信頼性（９９．９９９％の信頼性など）の伝送を実現することである。この目的を達成するために、データ伝送に短い送信時間間隔（ＴＴＩ：Ｔｒａｎｓｍｉｓｓｉｏｎ  Ｔｉｍｅ  Ｉｎｔｅｒｖａｌ）を使用する必要があり、これは、ダウンリンク制御シグナリングをより頻繁に送信する必要があることも意味する。
【０００４】
ＮＲ  Ｒｅｌ−１５の１つの制御リソースセット（ＣＯＲＥＳＥＴ：Ｃｏｎｔｒｏｌ  Ｒｅｓｏｕｒｃｅ  Ｓｅｔ）は、最大４４回のブラインド検出をサポートする。ＣＯＲＥＳＥＴは、時間上で、１つの直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル、２つのＯＦＤＭシンボル、及び３つのＯＦＤＭシンボルという３つのタイプの長さをサポートする。端末機器がＣＯＲＥＳＥＴに対してブラインド検出を実行する時間は、通常、ＣＯＲＥＳＥＴの長さより長くなるが、１つのスロット（ｓｌｏｔ）（１４個のＯＦＤＭシンボル）の長さを超えることはない。１つのｓｌｏｔ内で端末機器に複数のＣＯＲＥＳＥＴが構成されている場合、端末機器の実装の複雑さを増やさないために、現在、依然として最大４４回のみのブラインド検出をサポートするように端末機器を制限する。すなわち、複数のＣＯＲＥＳＥＴの各ＣＯＲＥＳＥＴの最大ブラインド検出回数を制限し、このようにすれば、明らかにスケジューリングの柔軟性に影響を及ぼす。
【発明の概要】
【発明が解決しようとする課題】
【０００５】
上記の技術的課題を解決するために、本願実施例は、情報伝送方法及び装置、端末機器、ネットワーク機器を提供する。
【課題を解決するための手段】
【０００６】
本願実施例による情報伝送方法は、
端末機器が、第１メッセージをネットワーク機器に送信することを含み、前記第１メッセージは、ターゲットリソース領域内のダウンリンク制御チャネルに対する前記端末機器のブラインド検出のためのパラメータを含む。
【０００７】
一実施形態では、前記パラメータは、第１時間長を決定するために使用され、前記第１時間長は、前記端末機器が前記ターゲットリソース領域内のダウンリンク制御チャネルに対して
2021531674.tif 000003
のブラインド検出を実行するのに必要な時間を決定するために使用される。
【０００８】
一実施形態では、前記端末機器が前記ターゲットリソース領域内のダウンリンク制御チャネルに対してＮ回のブラインド検出を実行するのに必要な時間の開始位置は、前記ターゲットリソース領域内の約束された時間領域位置である。
【０００９】
一実施形態では、前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である。
【００１０】
一実施形態では、前記端末機器が前記ターゲットリソース領域内のダウンリンク制御チャネルに対してＮ回のブラインド検出を実行するのに必要な時間の長さは、前記第１時間長であり、又は、
前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである。
【００１１】
一実施形態では、前記ターゲットリソース領域は、
2021531674.tif 000004
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記Ｎの値は異なる。
【００１２】
一実施形態では、前記ターゲットリソース領域は、
2021531674.tif 000005
のタイプの伝送リソース構成をサポートし、異なる伝送リソース構成は、異なる時間領域長さ及び／又は周波数領域長さを有し、
ここで、前記パラメータは、
2021531674.tif 000006
の前記第１時間長を含み、Ｑ個の前記第１時間長は、それぞれ異なる伝送リソース構成に対応する。
【００１３】
一実施形態では、前記Ｎの値は、プロトコルによって約束されるか、前記端末機器によって前記ネットワーク機器に報告されるか、前記ネットワーク機器によって前記端末機器に設定される。
【００１４】
一実施形態では、前記第１時間長は絶対時間長であり、又は、前記第１時間長は、時間領域シンボル長さの整数倍を含む。
【００１５】
一実施形態では、前記パラメータは、指定された時間内に前記ターゲットリソース領域内のダウンリンク制御チャネルに対して前記端末機器によって実行されるブラインド検出の最大ブラインド検出回数を決定するために使用される。
【００１６】
一実施形態では、前記指定された時間の開始位置は、前記ターゲットリソース領域内の約束された時間領域位置である。
【００１７】
一実施形態では、前記ターゲットリソース領域の時間領域開始位置、又は前記ターゲットリソース領域内の２番目の時間領域シンボルの開始位置、又はＤＭＲＳが前記ターゲットリソース領域に位置する時間領域シンボルの終了位置である。
【００１８】
一実施形態では、前記指定された時間の長さは、第２時間長であり、又は、
前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである。
【００１９】
一実施形態では、前記第２時間長は、プロトコルによって約束されるか、前記端末機器によって前記ネットワーク機器に報告されるか、前記ネットワーク機器によって前記端末機器に設定される。
【００２０】
一実施形態では、前記第２時間長は絶対時間長であり、又は、前記第２時間長は、時間領域シンボル長さの整数倍を含む。
【００２１】
一実施形態では、前記ターゲットリソース領域は、
2021531674.tif 000007
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記最大ブラインド検出回数は異なる。
【００２２】
一実施形態では、前記ターゲットリソース領域は、
2021531674.tif 000008
のタイプの伝送リソース構成をサポートし、異なる伝送リソース構成は、異なる時間領域長さ及び／又は周波数領域長さを有し、
ここで、前記パラメータは、
2021531674.tif 000009
の値を含み、前記Ｔ個の値は、それぞれ異なる伝送リソース構成に対応する。
【００２３】
一実施形態では、前記ターゲットリソース領域は、制御リソースセットであり、又は、前記ターゲットリソース領域は、時間領域で連続する少なくとも１つの時間領域シンボルを含む。
【００２４】
一実施形態では、前記端末機器は、ＵＲＬＬＣサービスをサポートする。
【００２５】
本願実施例による情報伝送方法は、
ネットワーク機器が、端末機器によって送信される第１メッセージを受信することを含み、前記第１メッセージは、ターゲットリソース領域内のダウンリンク制御チャネルに対する前記端末機器のブラインド検出のためのパラメータを含む。
【００２６】
一実施形態では、前記パラメータは、第１時間長を決定するために使用され、前記第１時間長は、前記端末機器が前記ターゲットリソース領域内のダウンリンク制御チャネルに対して
2021531674.tif 000010
のブラインド検出を実行するのに必要な時間を決定するために使用される。
【００２７】
一実施形態では、前記端末機器が前記ターゲットリソース領域内のダウンリンク制御チャネルに対してＮ回のブラインド検出を実行するのに必要な時間の開始位置は、前記ターゲットリソース領域内の約束された時間領域位置である。
【００２８】
一実施形態では、前記約束された時間位置は、前記ターゲットリソース領域の時間領域開始位置、又は前記ターゲットリソース領域内の２番目の時間領域シンボルの開始位置、又はＤＭＲＳが前記ターゲットリソース領域に位置する時間領域シンボルの終了位置である。
【００２９】
一実施形態では、前記端末機器が前記ターゲットリソース領域内のダウンリンク制御チャネルに対してＮ回のブラインド検出を実行するのに必要な時間の長さは、前記第１時間長であり、又は、
前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである。
【００３０】
一実施形態では、前記ターゲットリソース領域は、
2021531674.tif 000011
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記Ｎの値は異なる。
【００３１】
一実施形態では、前記ターゲットリソース領域は、
2021531674.tif 000012
のタイプの伝送リソース構成をサポートし、異なる伝送リソース構成は、異なる時間領域長さ及び／又は周波数領域長さを有し、
ここで、前記パラメータは、
2021531674.tif 000013
の前記第１時間長を含み、Ｑ個の前記第１時間長は、それぞれ異なる伝送リソース構成に対応する。
【００３２】
一実施形態では、前記Ｎの値は、プロトコルによって約束されるか、前記端末機器によって前記ネットワーク機器に報告されるか、前記ネットワーク機器によって前記端末機器に設定される。
【００３３】
一実施形態では、前記第１時間長は絶対時間長であり、又は、前記第１時間長は、時間領域シンボル長さの整数倍を含む。
【００３４】
一実施形態では、前記パラメータは、指定された時間内に前記ターゲットリソース領域内のダウンリンク制御チャネルに対して前記端末機器によって実行されるブラインド検出の最大ブラインド検出回数を決定するために使用される。
【００３５】
一実施形態では、前記指定された時間の開始位置は、前記ターゲットリソース領域内の約束された時間領域位置である。
【００３６】
一実施形態では、前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である。
【００３７】
一実施形態では、前記指定された時間の長さは、第２時間長であり、又は、
前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである。
【００３８】
一実施形態では、前記第２時間長は、プロトコルによって約束されるか、前記端末機器によって前記ネットワーク機器に報告されるか、前記ネットワーク機器によって前記端末機器に設定される。
【００３９】
一実施形態では、前記第２時間長は絶対時間長であり、又は、前記第２時間長は、時間領域シンボル長さの整数倍を含む。
【００４０】
一実施形態では、前記ターゲットリソース領域は、
2021531674.tif 000014
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記最大ブラインド検出回数は異なる。
【００４１】
一実施形態では、前記ターゲットリソース領域は、
2021531674.tif 000015
のタイプの伝送リソース構成をサポートし、異なる伝送リソース構成は、異なる時間領域長さ及び／又は周波数領域長さを有し、
ここで、前記パラメータは、
2021531674.tif 000016
の値を含み、前記Ｔ個の値は、それぞれ異なる伝送リソース構成に対応する。
【００４２】
一実施形態では、前記ターゲットリソース領域は、制御リソースセットであり、又は、前記ターゲットリソース領域は、時間領域で連続する少なくとも１つの時間領域シンボルを含む。
【００４３】
一実施形態では、前記端末機器は、ＵＲＬＬＣサービスをサポートする。
【００４４】
本願実施例による情報伝送装置は、
第１メッセージをネットワーク機器に送信するように構成される送信ユニットを備え、前記第１メッセージは、ターゲットリソース領域内のダウンリンク制御チャネルに対する端末機器のブラインド検出のためのパラメータを含む。
【００４５】
一実施形態では、前記パラメータは、第１時間長を決定するために使用され、前記第１時間長は、前記端末機器が前記ターゲットリソース領域内のダウンリンク制御チャネルに対して
2021531674.tif 000017
のブラインド検出を実行するのに必要な時間を決定するために使用される。
【００４６】
一実施形態では、前記端末機器が前記ターゲットリソース領域内のダウンリンク制御チャネルに対してＮ回のブラインド検出を実行するのに必要な時間の開始位置は、前記ターゲットリソース領域内の約束された時間領域位置である。
【００４７】
一実施形態では、前記約束された時間位置は、前記ターゲットリソース領域の時間領域開始位置、又は前記ターゲットリソース領域内の２番目の時間領域シンボルの開始位置、又はＤＭＲＳが前記ターゲットリソース領域に位置する時間領域シンボルの終了位置である。
【００４８】
一実施形態では、前記端末機器が前記ターゲットリソース領域内のダウンリンク制御チャネルに対してＮ回のブラインド検出を実行するのに必要な時間の長さは、前記第１時間長であり、又は、
前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである。
【００４９】
一実施形態では、前記ターゲットリソース領域は、
2021531674.tif 000018
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記Ｎの値は異なる。
【００５０】
一実施形態では、前記ターゲットリソース領域は、
2021531674.tif 000019
のタイプの伝送リソース構成をサポートし、異なる伝送リソース構成は、異なる時間領域長さ及び／又は周波数領域長さを有し、
ここで、前記パラメータは、
2021531674.tif 000020
の前記第１時間長を含み、Ｑ個の前記第１時間長は、それぞれ異なる伝送リソース構成に対応する。
【００５１】
一実施形態では、前記Ｎの値は、プロトコルによって約束されるか、前記端末機器によって前記ネットワーク機器に報告されるか、前記ネットワーク機器によって前記端末機器に設定される。
【００５２】
一実施形態では、前記第１時間長は絶対時間長であり、又は、前記第１時間長は、時間領域シンボル長さの整数倍を含む。
【００５３】
一実施形態では、前記パラメータは、指定された時間内に前記ターゲットリソース領域内のダウンリンク制御チャネルに対して前記端末機器によって実行されるブラインド検出の最大ブラインド検出回数を決定するために使用される。
【００５４】
一実施形態では、前記指定された時間の開始位置は、前記ターゲットリソース領域内の約束された時間領域位置である。
【００５５】
一実施形態では、前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である。
【００５６】
一実施形態では、前記指定された時間の長さは、第２時間長であり、又は、
前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである。
【００５７】
一実施形態では、前記第２時間長は、プロトコルによって約束されるか、前記端末機器によって前記ネットワーク機器に報告されるか、前記ネットワーク機器によって前記端末機器に設定される。
【００５８】
一実施形態では、前記第２時間長は絶対時間長であり、又は、前記第２時間長は、時間領域シンボル長さの整数倍を含む。
【００５９】
一実施形態では、前記ターゲットリソース領域は、
2021531674.tif 000021
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記最大ブラインド検出回数は異なる。
【００６０】
一実施形態では、前記ターゲットリソース領域は、
2021531674.tif 000022
のタイプの伝送リソース構成をサポートし、異なる伝送リソース構成は、異なる時間領域長さ及び／又は周波数領域長さを有し、
ここで、前記パラメータは、
2021531674.tif 000023
の値を含み、前記Ｔ個の値は、それぞれ異なる伝送リソース構成に対応する。
【００６１】
一実施形態では、前記ターゲットリソース領域は、制御リソースセットであり、又は、前記ターゲットリソース領域は、時間領域で連続する少なくとも１つの時間領域シンボルを含む。
【００６２】
一実施形態では、前記端末機器は、ＵＲＬＬＣサービスをサポートする。
【００６３】
本願実施例による情報伝送装置は、
端末機器によって送信される第１メッセージを受信するように構成される受信ユニットを備え、前記第１メッセージは、ターゲットリソース領域内のダウンリンク制御チャネルに対する前記端末機器のブラインド検出のためのパラメータを含む。
【００６４】
一実施形態では、前記パラメータは、第１時間長を決定するために使用され、前記第１時間長は、前記端末機器が前記ターゲットリソース領域内のダウンリンク制御チャネルに対して
2021531674.tif 000024
のブラインド検出を実行するのに必要な時間を決定するために使用される。
【００６５】
一実施形態では、前記端末機器が前記ターゲットリソース領域内のダウンリンク制御チャネルに対してＮ回のブラインド検出を実行するのに必要な時間の開始位置は、前記ターゲットリソース領域内の約束された時間領域位置である。
【００６６】
一実施形態では、前記約束された時間位置は、前記ターゲットリソース領域の時間領域開始位置、又は前記ターゲットリソース領域内の２番目の時間領域シンボルの開始位置、又はＤＭＲＳが前記ターゲットリソース領域に位置する時間領域シンボルの終了位置である。
【００６７】
一実施形態では、前記端末機器が前記ターゲットリソース領域内のダウンリンク制御チャネルに対してＮ回のブラインド検出を実行するのに必要な時間の長さは、前記第１時間長であり、又は、
前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである。
【００６８】
一実施形態では、前記ターゲットリソース領域は、
2021531674.tif 000025
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記Ｎの値は異なる。
【００６９】
一実施形態では、前記ターゲットリソース領域は、
2021531674.tif 000026
のタイプの伝送リソース構成をサポートし、異なる伝送リソース構成は、異なる時間領域長さ及び／又は周波数領域長さを有し、
ここで、前記パラメータは、
2021531674.tif 000027
の前記第１時間長を含み、Ｑ個の前記第１時間長は、それぞれ異なる伝送リソース構成に対応する。
【００７０】
一実施形態では、前記Ｎの値は、プロトコルによって約束されるか、前記端末機器によって前記ネットワーク機器に報告されるか、前記ネットワーク機器によって前記端末機器に設定される。
【００７１】
一実施形態では、前記第１時間長は絶対時間長であり、又は、前記第１時間長は、時間領域シンボル長さの整数倍を含む。
【００７２】
一実施形態では、前記パラメータは、指定された時間内に前記ターゲットリソース領域内のダウンリンク制御チャネルに対して前記端末機器によって実行されるブラインド検出の最大ブラインド検出回数を決定するために使用される。
【００７３】
一実施形態では、前記指定された時間の開始位置は、前記ターゲットリソース領域内の約束された時間領域位置である。
【００７４】
一実施形態では、前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である。
【００７５】
一実施形態では、前記指定された時間の長さは、第２時間長であり、又は、
前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである。
【００７６】
一実施形態では、前記第２時間長は、プロトコルによって約束されるか、前記端末機器によって前記ネットワーク機器に報告されるか、前記ネットワーク機器によって前記端末機器に設定される。
【００７７】
一実施形態では、前記第２時間長は絶対時間長であり、又は、前記第２時間長は、時間領域シンボル長さの整数倍を含む。
【００７８】
一実施形態では、前記ターゲットリソース領域は、
2021531674.tif 000028
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記最大ブラインド検出回数は異なる。
【００７９】
一実施形態では、前記ターゲットリソース領域は、
2021531674.tif 000029
のタイプの伝送リソース構成をサポートし、異なる伝送リソース構成は、異なる時間領域長さ及び／又は周波数領域長さを有し、
ここで、前記パラメータは、
2021531674.tif 000030
の値を含み、前記Ｔ個の値は、それぞれ異なる伝送リソース構成に対応する。
【００８０】
一実施形態では、前記ターゲットリソース領域は、制御リソースセットであり、又は、前記ターゲットリソース領域は、時間領域で連続する少なくとも１つの時間領域シンボルを含む。
【００８１】
一実施形態では、前記端末機器は、ＵＲＬＬＣサービスをサポートする。
【００８２】
本願実施例による端末機器は、プロセッサと、メモリとを備え、前記メモリは、コンピュータプログラムを記憶するように構成され、前記プロセッサは、前記メモリに記憶されたコンピュータプログラムを呼び出して実行することにより、上記の情報伝送方法のいずれかを実行するように構成される。
【００８３】
本願実施例によるネットワーク機器は、プロセッサと、メモリとを備え、前記メモリは、コンピュータプログラムを記憶するように構成され、前記プロセッサは、前記メモリに記憶されたコンピュータプログラムを呼び出して実行することにより、上記の情報伝送方法のいずれかを実行するように構成される。
【００８４】
本願実施例によるチップは、プロセッサを備え、前記プロセッサは、メモリからコンピュータプログラムを呼び出して実行することにより、前記チップが搭載された機器に、上記の情報伝送方法のいずれかを実行させるように構成される。
【発明の効果】
【００８５】
本願実施例による技術的解決策によれば、端末機器は、第１メッセージをネットワーク機器に送信し、前記第１メッセージは、前記端末機器によるターゲットリソース領域内のダウンリンク制御チャネルへのブラインド検出のためのパラメータを含み、前記パラメータは、ダウンリンク制御チャネルに対する端末機器の監視能力（ｍｏｎｉｔｏｒｉｎｇ  ｃａｐａｂｉｌｉｔｙ）を表し、これにより、ネットワーク機器は、前記パラメータに従って端末機器のために適切なターゲットリソース領域及び適切なブラインド検出回数を設定できるため、端末機器がダウンリンク制御チャネルの復調を完了できるように保証するという前提で、データスケジューリングの柔軟性を向上させることができる。
【図面の簡単な説明】
【００８６】
ここで説明される図面は、更なる理解を提供するために使用され、本願の一部を構成し、本発明の例示的な実施例及びそれらの説明は、本発明を説明するために使用され、本発明に対する不適切な限定を構成するものではない。
【図１】本願実施例による通信システムアーキテクチャを示す概略図である。
【図２】本願実施例による情報伝送方法を示す第１の例示的なフローチャートである。
【図３】本願実施例による情報伝送方法を示す第２の例示的なフローチャートである。
【図４】本願実施例によるブラインド検出を示す第１の概略図である。
【図５】本願実施例によるブラインド検出を示す第２の概略図である。
【図６】本願実施例による情報伝送装置の構成を示す第１の概略図である。
【図７】本願実施例による情報伝送装置の構成を示す第２の概略図である。
【図８】本願実施例による通信機器を示す例示的な構造図である。
【図９】本願実施例によるチップを示す例示的な構造図である。
【図１０】本願実施例による通信システムを示す例示的なブロック図である。
【発明を実施するための形態】
【００８７】
ＮＲ  Ｒｅｌ−１６でＵＲＬＬＣを強化するための重要なポイントの１つは、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の検出能力を改善すること、すなわち、一スロットでの端末機器のブラインド検出回数を増加することである。端末機器能が復調を完了できるという前提で、スケジューリングの柔軟性を改善するために、端末機器に適切なブラインド検出回数をどのように設定するかは、本願実施例によって解決できる問題である。
【００８８】
以下、本願実施例における添付の図面を参照して、本願実施例における技術的解決策を説明するが、明らかに、説明される実施例は、本願実施例の一部であるが、全部ではない。本願実施例に基づいて、創造的な努力なしに当業者によって得られる他のすべての実施例は、本願の保護範囲に含まれるものとする。
【００８９】
本願実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは５Ｇシステムなどの様々な通信システムに適用されることができる。
【００９０】
例示的に、図１は、本願実施例が適用される通信システム１００を示す。前記通信システム１００は、ネットワーク機器１１０を含み得、ネットワーク機器１１０は、端末機器１２０（または通信端末機器、端末と呼ばれる）と通信する機器であってもよい。ネットワーク機器１１０は、特定の地理的エリアに通信カバレッジを提供することができ、当該カバレッジエリア内にある端末機器と通信することができる。例示的に、前記ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、または、前記ネットワーク機器は、モバイルスイッチングセンタ、リレーステーション、アクセスポイント、車載機器、ウェアラブル機器、ハブ、スイッチ、ブリッジ、ルータ、５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００９１】
前記通信システム１００は、ネットワーク機器１１０のカバレッジエリア内に位置する少なくとも１つの端末機器１２０をさらに含む。ここで使用される「端末機器」は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ：Ｄｉｇｉｔａｌ  Ｓｕｂｓｃｒｉｂｅｒ  Ｌｉｎｅ）、デジタルケーブル、直接ケーブル接続などのワイヤライン、及び／または及び／または別のデータ接続／ネットワーク、及び／または無線インターフェース、ＤＶＢ−Ｈ  ネットワークのデジタルテレビネットワーク、衛星ネットワーク、ＡＭ−ＦＭブロードキャスト送信機などのセルラーネットワーク、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）などのワイヤレスインターフェース、及び／または別の端末機器の通信信号を受信／送信するように設定された装置、及び／または物事のインターネットシステム（ＩｏＴ：Ｉｎｔｅｒｎｅｔ  ｏｆ  Ｔｈｉｎｇｓ）機器を含むが、これらに限定されない。無線インターフェースを介して通信するように構成された端末機器は、「無線通信端末機器」、「無線端末機器」または「モバイル端末機器」と呼ばれることができる。モバイル端末機器は、例えば、衛星または携帯電話、セルラー無線電話とデータ処理、ファックス及びデータ通信能力を組み合わせることができるパーソナル通信システム（ＰＣＳ：  Ｐｅｒｓｏｎａｌ  Ｃｏｍｍｕｎｉｃａｔｉｏｎｓ  Ｓｙｓｔｅｍ）端末機器、無線電話、ポケットベル、インターネット／イントラネットアクセス、Ｗｅｂブラウザ、メモ帳、カレンダ及び／又はグローバルポジショニングシステム（ＧＰＳ：Ｇｌｏｂａｌ  Ｐｏｓｉｔｉｏｎｉｎｇ  Ｓｙｓｔｅｍ）受信器を含むことができるＰＤＡ、及び従来のラップトップ型及び／またはハンドヘルド型受信器または無線電話トランシーバを含む他の電子装置を含むが、これらに限定されない。端末機器は、アクセス端末、ユーザ機器（ＵＥ：Ｕｓｅｒ  Ｅｑｕｉｐｍｅｎｔ）、ユーザユニット、加入者局、移動局、移動コンソール、遠隔局、遠隔端末、モバイルデバイス、ユーザ端末、端末、無線通信デバイス、ユーザエージェント、またはユーザ装置を指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイス及び５Ｇネットワークの端末機器または将来進化するＰＬＭＮにおける端末機器などであり得る。
【００９２】
例示的に、端末機器１２０間で装置対装置（Ｄ２Ｄ：Ｄｅｖｉｃｅ  ｔｏ  Ｄｅｖｉｃｅ）通信を実行してもよい。
【００９３】
例示的に、５Ｇシステムまたは５Ｇネットワークは、ニューラジオ（ＮＲ：Ｎｅｗ  Ｒａｄｉｏ）システムまたはＮＲネットワークと呼ばれてもよい。
【００９４】
図１は、１つのネットワーク機器及び２つの端末機器を例示的に示す。例示的に、前記通信システム１００は、複数のネットワーク機器を含んでもよく、各ネットワーク機器のカバレッジエリアは、他の数の端末機器を含んでもよいが、本願実施例はこれを限定するものではない。
【００９５】
例示的に、前記通信システム１００は、ネットワークコントローラ、モバイル管理エンティティなどの他のネットワークエンティティをさらに含んでもよいが、本願実施例はこれを限定するものではない。
【００９６】
本願実施例では、ネットワーク／システムにおける通信機能を備えた機器が通信機器と呼ばれてもよいことを理解されたい。図１に示される通信システム１００を例にとると、通信機器は、通信機能を備えたネットワーク機器１１０及び端末機器１２０を含むことができ、ネットワーク機器１１０及び端末機器１２０は、上記の特定の機器であってもよく、ここでは繰り返して説明しない。通信機器は、ネットワークコントローラ、モバイル管理エンティティなどの他のネットワークエンティティなど、通信システム１００における他の機器をさらに含んでもよいが、本願実施例はこれを限定するものではない。
【００９７】
本明細書における「システム」及び「ネットワーク」という用語は、本明細書で常に互換可能に使用されることを理解されたい。本明細書における「及び／または」という用語は、関連するオブジェクトを説明する単なる関連付け関係であり、３つの関係が存在できることを示し、例えば、Ａ及び／またはＢは、Ａが単独で存在する、ＡとＢが同時に存在する、Ｂが単独で存在するという３つのケースを示すことができる。さらに、本明細書における記号「／」は、通常、関連するオブジェクト間の関係が、「または」という関係にあることを示す。
【００９８】
図２は、本願実施例による情報伝送方法を示す第１の例示的なフローチャートであり、図２に示されるように、前記情報伝送方法は、以下のステップを含む。
【００９９】
ステップ２０１において、端末機器が、第１メッセージをネットワーク機器に送信し、前記第１メッセージは、ターゲットリソース領域内のダウンリンク制御チャネルに対する前記端末機器のブラインド検出のためのパラメータを含む。
【０１００】
本願実施例では、端末機器は、携帯電話、ノートブックコンピュータ、デスクトップコンピュータ、タブレットコンピュータなど、ネットワーク機器と通信できる任意の機器であり得る。さらに、前記端末機器は、ＵＲＬＬＣサービスをサポートする。すなわち、ＵＲＬＬＣサービスをサポートする端末機器は、前記パラメータを前記ネットワーク機器に報告する。
【０１０１】
本願実施例において、ネットワーク機器とは、５ＧにおけるｇＮＢなどの基地局を指す。
【０１０２】
本願実施例において、前記ターゲットリソース領域は、制御リソースセット（ＣＯＲＥＳＥＴ）であり、又は、前記ターゲットリソース領域は、時間領域で連続する少なくとも１つの時間領域シンボルを含む。
【０１０３】
本願実施例において、ターゲットリソース領域内のダウンリンク制御チャネルに対する端末機器のブラインド検出のためのパラメータは、以下の方式で実現できる。
【０１０４】
方式１において、前記パラメータは、第１時間長を決定するために使用され、前記第１時間長は、前記端末機器が前記ターゲットリソース領域内のダウンリンク制御チャネルに対して
2021531674.tif 000031
のブラインド検出を実行するのに必要な時間を決定するために使用される。
【０１０５】
ここで、前記Ｎの値は、プロトコルによって約束されるか、前記端末機器によって前記ネットワーク機器に報告されるか、前記ネットワーク機器によって前記端末機器に設定され、例えば、Ｎ＝４４である。
【０１０６】
本願実施例において、前記パラメータは、第１時間長を決定するために使用され、次の方式で実現できる。（１）前記パラメータは具体的な時間長を指示し、例えば、前記パラメータは第１時間長であり得る。（２）前記パラメータは、特定の時間レベルを指示し、異なる時間レベルは異なる第１時間長に対応し、特定の時間レベルにより対応する第１時間長を決定できる。
【０１０７】
ここで、前記第１時間長は絶対時間長であり、又は、前記第１時間長は、時間領域シンボル（ＯＦＤＭシンボルなど）長さの整数倍を含む。
【０１０８】
例えば、前記パラメータはＸ＝４であり、ここで、Ｘは第１時間長を表し、この場合、第１時間長は４つの時間領域シンボルである。別の例では、前記パラメータはＬ＝１であり、ここで、Ｌは時間レベルを表し、この場合、第１時間長は、時間レベル１に対応する時間長であり、３つのシンボルであると想定する。
【０１０９】
一実施形態では、前記第１時間長は、前記端末機器が前記ターゲットリソース領域内のダウンリンク制御チャネルに対してＮ回のブラインド検出を実行するのに必要な時間を決定するために使用されることは、前記第１時間長は、前記端末機器が前記ターゲットリソース領域内のダウンリンク制御チャネルに対してＮ回のブラインド検出を実行するのに必要な最短時間又は時間下限を決定するために使用されることを指す。
【０１１０】
本願実施例において、前記端末機器が前記ターゲットリソース領域内のダウンリンク制御チャネルに対してＮ回のブラインド検出を実行するのに必要な時間の開始位置は、前記ターゲットリソース領域内の約束された時間領域位置である。一実施形態では、前記約束された時間位置は、前記ターゲットリソース領域の時間領域開始位置、又は前記ターゲットリソース領域内の２番目の時間領域シンボルの開始位置、又はＤＭＲＳが前記ターゲットリソース領域に位置する時間領域シンボルの終了位置である。例えば、約束された時間位置は、前記ターゲットリソース領域の時間領域開始位置であり、すなわち、端末機器は、前記ターゲットリソース領域の時間領域開始位置から、ダウンリンク制御チャネルに対するブラインド検出を実行する。別の例では、約束された時間位置は、前記ターゲットリソース領域内の２番目の時間領域シンボルの開始位置であり、すなわち、端末機器は、前記ターゲットリソース領域内の２番名の時間領域シンボルの開始位置から、ダウンリンク制御チャネルに対するブラインド検出を実行する。別の例では、約束された時間位置は、ＤＭＲＳが前記ターゲットリソース領域に位置する時間領域シンボルの終了位置であり、すなわち、端末機器は、前記ターゲットリソース領域内のＤＭＲＳ時間領域シンボルの終了位置から、ダウンリンク制御チャネルに対するブラインド検出を実行する。
【０１１１】
本願実施例において、前記端末機器が前記ターゲットリソース領域内のダウンリンク制御チャネルに対してＮ回のブラインド検出を実行するのに必要な時間の長さは、以下の２つの方式で決定できる。
【０１１２】
（１）前記端末機器が前記ターゲットリソース領域内のダウンリンク制御チャネルに対してＮ回のブラインド検出を実行するのに必要な時間の長さは、前記第１時間長であり。
【０１１３】
ここで、第１時間長は、ブラインド検出の総時間長である。
【０１１４】
（２）前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである。例えば、前記約束された時間長は、前記ターゲットリソース領域内の最初の時間領域シンボルの開始位置から最後の時間領域シンボルの終了位置までの長さである。別の例では、前記約束された時間長は、前記ターゲットリソース領域内の２番目の時間領域シンボルの開始位置から最後の時間領域シンボルの終了位置までの長さである。別の例では、前記約束された時間長は、前記ターゲットリソース領域内のＤＭＲＳ時間領域シンボルの終了位置から最後の時間領域シンボルの終了位置までの長さである。
【０１１５】
ここで、前記ターゲットリソース領域の約束された時間長に前記第１時間長を加えて、ブラインド検出の総時間長を取得する。
【０１１６】
本願実施例において、前記ターゲットリソース領域は、
2021531674.tif 000032
のタイプの伝送リソース構成をサポートし、異なる伝送リソース構成は、異なる時間領域長さ及び／又は周波数領域長さを有し、ここで、前記ターゲットリソース領域が、異なる伝送リソース構成を採用する場合、それに対応して前記Ｎの値は異なる。
【０１１７】
例えば、ターゲットリソース領域はＣＯＲＥＳＥＴであり、時間上での当該ＣＯＲＥＳＥＴの長さは、１つのＯＦＤＭシンボル、または２つのＯＦＤＭシンボル、または３つのＯＦＤＭシンボルであり得、この３つのＣＯＲＥＳＥＴの長さは、それぞれ３つのタイプの伝送リソース構成に対応し、この３つのタイプの伝送リソース構成は、それぞれ異なるＮの値に対応する。
【０１１８】
本願実施例において、前記ターゲットリソース領域は、
2021531674.tif 000033
のタイプの伝送リソース構成をサポートし、異なる伝送リソース構成は、異なる時間領域長さ及び／又は周波数領域長さを有し、ここで、前記パラメータは、
2021531674.tif 000034
の前記第１時間長を含み、Ｑ個の前記第１時間長は、それぞれ異なる伝送リソース構成に対応する。
【０１１９】
例えば、ターゲットリソース領域はＣＯＲＥＳＥＴであり、時間上での当該ＣＯＲＥＳＥＴの長さは、１つのＯＦＤＭシンボル、または２つのＯＦＤＭシンボル、または３つのＯＦＤＭシンボルであり得、この３つのＣＯＲＥＳＥＴの長さは、それぞれ３つのタイプの伝送リソース構成に対応し、前記パラメータは、当該３つのタイプの伝送リソース構成にそれぞれ対応する３つの第１時間長を含む。
【０１２０】
方式２において、前記パラメータは、指定された時間内に前記ターゲットリソース領域内のダウンリンク制御チャネルに対して前記端末機器によって実行されるブラインド検出の最大ブラインド検出回数を決定するために使用される。
【０１２１】
本願実施例において、前記パラメータは、最大ブラインド検出回数を決定するために使用され、次の方式で実現できる。（１）前記パラメータは具体的なブラインド検出回数を指示する。（２）前記パラメータは、特定のブラインド検出レベルを指示し、異なるブラインド検出レベルは、異なるブラインド検出回数に対応し、特定のブラインド検出レベルにより対応するブラインド検出回数を決定できる。
【０１２２】
本願実施例において、前記指定された時間の開始位置は、前記ターゲットリソース領域内の約束された時間領域位置である。一実施形態では、前記約束された時間位置は、前記ターゲットリソース領域の時間領域開始位置、又は前記ターゲットリソース領域内の２番目の時間領域シンボルの開始位置、又はＤＭＲＳが前記ターゲットリソース領域に位置する時間領域シンボルの終了位置である。例えば、前記約束された時間位置は、前記ターゲットリソース領域の時間領域開始位置であり、すなわち、端末機器は、前記ターゲットリソース領域の時間領域開始位置から、ダウンリンク制御チャネルに対するブラインド検出を実行する。別の例では、前記約束された時間位置は、前記ターゲットリソース領域内の２番目の時間領域シンボルの開始位置であり、すなわち、端末機器は、前記ターゲットリソース領域内の２番名の時間領域シンボルの開始位置から、ダウンリンク制御チャネルに対するブラインド検出を実行する。別の例では、前記約束された時間位置は、ＤＭＲＳが前記ターゲットリソース領域に位置する時間領域シンボルの終了位置であり、すなわち、端末機器は、前記ターゲットリソース領域内のＤＭＲＳ時間領域シンボルの終了位置から、ダウンリンク制御チャネルに対するブラインド検出を実行する。
【０１２３】
本願実施例において、前記端末機器が前記ターゲットリソース領域内のダウンリンク制御チャネルに対してブラインド検出を実行する時間、即ち、前記指定された時間は、以下の２つの方式で決定できる。
【０１２４】
（１）前記指定された時間の長さは、第２時間長であり。
【０１２５】
ここで、第２時間長は、ブラインド検出の総時間長（即ち、前記指定された時間の長さ）である。
【０１２６】
（２）前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである、例えば、前記約束された時間長は、前記ターゲットリソース領域内の最初の時間領域シンボルの開始位置から最後の時間領域シンボルの終了位置までの長さである。別の例では、前記約束された時間長は、前記ターゲットリソース領域内の２番目の時間領域シンボルの開始位置から最後の時間領域シンボルの終了位置までの長さである。別の例では、前記約束された時間長は、前記ターゲットリソース領域内のＤＭＲＳ時間領域シンボルの終了位置から最後の時間領域シンボルの終了位置までの長さである。
【０１２７】
ここで、前記ターゲットリソース領域の約束された時間長に前記第２時間長を加えて、ブラインド検出の総時間長を取得する。
【０１２８】
ここで、前記第２時間長は、プロトコルによって約束されるか、前記端末機器によって前記ネットワーク機器に報告されるか、前記ネットワーク機器によって前記端末機器に設定される。
【０１２９】
ここで、前記第２時間長は絶対時間長であり、又は、前記第２時間長は、時間領域シンボル（ＯＦＤＭシンボルなど）長さの整数倍を含む。
【０１３０】
本願実施例において、前記ターゲットリソース領域は、
2021531674.tif 000035
のタイプの伝送リソース構成をサポートし、異なる伝送リソース構成は、異なる時間領域長さ及び／又は周波数領域長さを有し、ここで、前記ターゲットリソース領域が、異なる伝送リソース構成を採用する場合、それに対応して前記最大ブラインド検出回数は異なる。
【０１３１】
例えば、ターゲットリソース領域はＣＯＲＥＳＥＴであり、時間上での当該ＣＯＲＥＳＥＴの長さは、１つのＯＦＤＭシンボル、または２つのＯＦＤＭシンボル、または３つのＯＦＤＭシンボルであり得、それぞれ３つのタイプの伝送リソース構成に対応し、この３つのタイプの伝送リソース構成は、それぞれ異なる最大ブラインド検出回数に対応する。
【０１３２】
本願実施例において、前記ターゲットリソース領域は、
2021531674.tif 000036
のタイプの伝送リソース構成をサポートし、異なる伝送リソース構成は、異なる時間領域長さ及び／又は周波数領域長さを有し、ここで、前記パラメータは、
2021531674.tif 000037
の値を含み、前記Ｔ個の値は、それぞれ異なる伝送リソース構成に対応する。
【０１３３】
例えば、ターゲットリソース領域はＣＯＲＥＳＥＴであり、時間上での当該ＣＯＲＥＳＥＴの長さは、１つのＯＦＤＭシンボル、または２つのＯＦＤＭシンボル、または３つのＯＦＤＭシンボルであり得、この３つのＣＯＲＥＳＥＴの長さは、それぞれ３つのタイプの伝送リソース構成に対応し、前記パラメータは３つの値を含み、それぞれ３つの最大ブラインド検出回数を決定するために使用され、当該３つの最大ブラインド検出回数は、それぞれ３つのタイプの伝送リソース構成に対応する。
【０１３４】
本願実施例において、端末機器は、ＰＤＣＣＨのブラインド検出の具体的な復調能力を基地局に報告することにより、基地局は、ＣＯＲＥＳＥＴを適切に構成できるため、ＵＲＬＬＣをサポートする端末のデータスケジューリングの柔軟性を向上させることができる。
【０１３５】
図３は、本願実施例による情報伝送方法を示す第２の例示的なフローチャートであり、図３に示されるように、前記情報伝送方法は、以下のステップを含む。
【０１３６】
ステップ３０１において、ネットワーク機器が、端末機器によって送信される第１メッセージを受信し、前記第１メッセージは、ターゲットリソース領域内のダウンリンク制御チャネルに対する前記端末機器のブラインド検出のためのパラメータを含む。
【０１３７】
本願実施例では、端末機器は、携帯電話、ノートブックコンピュータ、デスクトップコンピュータ、タブレットコンピュータなど、ネットワーク機器と通信できる任意の機器であり得る。さらに、前記端末機器は、ＵＲＬＬＣサービスをサポートする。すなわち、ＵＲＬＬＣサービスをサポートする端末機器は、前記パラメータを前記ネットワーク機器に報告する。
【０１３８】
本願実施例において、ネットワーク機器とは、５ＧにおけるｇＮＢなどの基地局を指す。
【０１３９】
本願実施例において、前記ターゲットリソース領域は、制御リソースセット（ＣＯＲＥＳＥＴ）であり、又は、前記ターゲットリソース領域は、時間領域で連続する少なくとも１つの時間領域シンボルを含む。
【０１４０】
本願実施例において、ターゲットリソース領域内のダウンリンク制御チャネルに対する端末機器のブラインド検出のためのパラメータは、以下の方式で実現できる。
【０１４１】
方式１において、前記パラメータは、第１時間長を決定するために使用され、前記第１時間長は、前記端末機器が前記ターゲットリソース領域内のダウンリンク制御チャネルに対して
2021531674.tif 000038
のブラインド検出を実行するのに必要な時間を決定するために使用される。
【０１４２】
ここで、前記Ｎの値は、プロトコルによって約束されるか、前記端末機器によって前記ネットワーク機器に報告されるか、前記ネットワーク機器によって前記端末機器に設定され、例えば、Ｎ＝４４である。
【０１４３】
本願実施例において、前記パラメータは、第１時間長を決定するために使用され、次の方式で実現できる。（１）前記パラメータは具体的な時間長を指示し、例えば、前記パラメータは第１時間長であり得る。（２）前記パラメータは、特定の時間レベルを指示し、異なる時間レベルは異なる第１時間長に対応し、特定の時間レベルにより対応する第１時間長を決定できる。
【０１４４】
ここで、前記第１時間長は絶対時間長であり、又は、前記第１時間長は、時間領域シンボル（ＯＦＤＭシンボルなど）長さの整数倍を含む。
【０１４５】
例えば、前記パラメータはＸ＝４であり、ここで、Ｘは第１時間長を表し、この場合、第１時間長は４つの時間領域シンボルである。別の例では、前記パラメータはＬ＝１であり、ここで、Ｌは時間レベルを表し、この場合、第１時間長は、時間レベル１に対応する時間長であり、３つのシンボルであると想定する。
【０１４６】
一実施形態では、前記第１時間長は、前記端末機器が前記ターゲットリソース領域内のダウンリンク制御チャネルに対してＮ回のブラインド検出を実行するのに必要な時間を決定するために使用されることは、前記第１時間長は、前記端末機器が前記ターゲットリソース領域内のダウンリンク制御チャネルに対してＮ回のブラインド検出を実行するのに必要な最短時間又は時間下限を決定するために使用されることを指す。
【０１４７】
本願実施例において、前記端末機器が前記ターゲットリソース領域内のダウンリンク制御チャネルに対してＮ回のブラインド検出を実行するのに必要な時間の開始位置は、前記ターゲットリソース領域内の約束された時間領域位置である。一実施形態では、前記約束された時間位置は、前記ターゲットリソース領域の時間領域開始位置、又は前記ターゲットリソース領域内の２番目の時間領域シンボルの開始位置、又はＤＭＲＳが前記ターゲットリソース領域に位置する時間領域シンボルの終了位置である。例えば、約束された時間位置は、前記ターゲットリソース領域の時間領域開始位置であり、すなわち、端末機器は、前記ターゲットリソース領域の時間領域開始位置から、ダウンリンク制御チャネルに対するブラインド検出を実行する。別の例では、約束された時間位置は、前記ターゲットリソース領域内の２番目の時間領域シンボルの開始位置であり、すなわち、端末機器は、前記ターゲットリソース領域内の２番名の時間領域シンボルの開始位置から、ダウンリンク制御チャネルに対するブラインド検出を実行する。別の例では、約束された時間位置は、ＤＭＲＳが前記ターゲットリソース領域に位置する時間領域シンボルの終了位置であり、すなわち、端末機器は、前記ターゲットリソース領域内のＤＭＲＳ時間領域シンボルの終了位置から、ダウンリンク制御チャネルに対するブラインド検出を実行する。
【０１４８】
本願実施例において、前記端末機器が前記ターゲットリソース領域内のダウンリンク制御チャネルに対してＮ回のブラインド検出を実行するのに必要な時間の長さは、以下の２つの方式で決定できる。
【０１４９】
（１）前記端末機器が前記ターゲットリソース領域内のダウンリンク制御チャネルに対してＮ回のブラインド検出を実行するのに必要な時間の長さは、前記第１時間長であり。
【０１５０】
ここで、第１時間長は、ブラインド検出の総時間長であり、前記第１時間長は、前記ターゲットリソース領域の時間長より長い。
【０１５１】
（２）前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである。例えば、前記約束された時間長は、前記ターゲットリソース領域内の最初の時間領域シンボルの開始位置から最後の時間領域シンボルの終了位置までの長さである。別の例では、前記約束された時間長は、前記ターゲットリソース領域内の２番目の時間領域シンボルの開始位置から最後の時間領域シンボルの終了位置までの長さである。別の例では、前記約束された時間長は、前記ターゲットリソース領域内のＤＭＲＳ時間領域シンボルの終了位置から最後の時間領域シンボルの終了位置までの長さである。
【０１５２】
ここで、前記ターゲットリソース領域の約束された時間長に前記第１時間長を加えて、ブラインド検出の総時間長を取得する。
【０１５３】
本願実施例において、前記ターゲットリソース領域は、
2021531674.tif 000039
のタイプの伝送リソース構成をサポートし、異なる伝送リソース構成は、異なる時間領域長さ及び／又は周波数領域長さを有し、ここで、前記ターゲットリソース領域が、異なる伝送リソース構成を採用する場合、それに対応して前記Ｎの値は異なる。
【０１５４】
例えば、ターゲットリソース領域はＣＯＲＥＳＥＴであり、時間上での当該ＣＯＲＥＳＥＴの長さは、１つのＯＦＤＭシンボル、または２つのＯＦＤＭシンボル、または３つのＯＦＤＭシンボルであり得、この３つのＣＯＲＥＳＥＴの長さは、それぞれ３つのタイプの伝送リソース構成に対応し、この３つのタイプの伝送リソース構成は、それぞれ異なるＮの値に対応する。
【０１５５】
本願実施例において、前記ターゲットリソース領域は、
2021531674.tif 000040
のタイプの伝送リソース構成をサポートし、異なる伝送リソース構成は、異なる時間領域長さ及び／又は周波数領域長さを有し、ここで、前記パラメータは、
2021531674.tif 000041
の前記第１時間長を含み、Ｑ個の前記第１時間長は、それぞれ異なる伝送リソース構成に対応する。
【０１５６】
例えば、ターゲットリソース領域はＣＯＲＥＳＥＴであり、時間上での当該ＣＯＲＥＳＥＴの長さは、１つのＯＦＤＭシンボル、または２つのＯＦＤＭシンボル、または３つのＯＦＤＭシンボルであり得、この３つのＣＯＲＥＳＥＴの長さは、それぞれ３つのタイプの伝送リソース構成に対応し、前記パラメータは、当該３つのタイプの伝送リソース構成にそれぞれ対応する３つの第１時間長を含む。
【０１５７】
方式２において、前記パラメータは、指定された時間内に前記ターゲットリソース領域内のダウンリンク制御チャネルに対して前記端末機器によって実行されるブラインド検出の最大ブラインド検出回数を決定するために使用される。
【０１５８】
本願実施例において、前記パラメータは、最大ブラインド検出回数を決定するために使用され、次の方式で実現できる。（１）前記パラメータは具体的なブラインド検出回数を指示する。（２）前記パラメータは、特定のブラインド検出レベルを指示し、異なるブラインド検出レベルは、異なるブラインド検出回数に対応し、特定のブラインド検出レベルにより対応するブラインド検出回数を決定できる。
【０１５９】
本願実施例において、前記指定された時間の開始位置は、前記ターゲットリソース領域内の約束された時間領域位置である。一実施形態では、前記約束された時間位置は、前記ターゲットリソース領域の時間領域開始位置、又は前記ターゲットリソース領域内の２番目の時間領域シンボルの開始位置、又はＤＭＲＳが前記ターゲットリソース領域に位置する時間領域シンボルの終了位置である。例えば、前記約束された時間位置は、前記ターゲットリソース領域の時間領域開始位置であり、すなわち、端末機器は、前記ターゲットリソース領域の時間領域開始位置から、ダウンリンク制御チャネルに対するブラインド検出を実行する。別の例では、前記約束された時間位置は、前記ターゲットリソース領域内の２番目の時間領域シンボルの開始位置であり、すなわち、端末機器は、前記ターゲットリソース領域内の２番名の時間領域シンボルの開始位置から、ダウンリンク制御チャネルに対するブラインド検出を実行する。別の例では、前記約束された時間位置は、ＤＭＲＳが前記ターゲットリソース領域に位置する時間領域シンボルの終了位置であり、すなわち、端末機器は、前記ターゲットリソース領域内のＤＭＲＳ時間領域シンボルの終了位置から、ダウンリンク制御チャネルに対するブラインド検出を実行する。
【０１６０】
本願実施例において、前記端末機器が前記ターゲットリソース領域内のダウンリンク制御チャネルに対してブラインド検出を実行する時間、即ち、前記指定された時間は、以下の２つの方式で決定できる。
【０１６１】
（１）前記指定された時間の長さは、第２時間長である。
【０１６２】
ここで、第２時間長は、ブラインド検出の総時間長（即ち、前記指定された時間の長さ）である。
【０１６３】
（２）前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである。例えば、前記約束された時間長は、前記ターゲットリソース領域内の最初の時間領域シンボルの開始位置から最後の時間領域シンボルの終了位置までの長さである。別の例では、前記約束された時間長は、前記ターゲットリソース領域内の２番目の時間領域シンボルの開始位置から最後の時間領域シンボルの終了位置までの長さである。別の例では、前記約束された時間長は、前記ターゲットリソース領域内のＤＭＲＳ時間領域シンボルの終了位置から最後の時間領域シンボルの終了位置までの長さである。
【０１６４】
ここで、前記ターゲットリソース領域の約束された時間長に前記第２時間長を加えて、ブラインド検出の総時間長を取得する。
【０１６５】
ここで、前記第２時間長は、プロトコルによって約束されるか、前記端末機器によって前記ネットワーク機器に報告されるか、前記ネットワーク機器によって前記端末機器に設定される。
【０１６６】
ここで、前記第２時間長は絶対時間長であり、又は、前記第２時間長は、時間領域シンボル（ＯＦＤＭシンボルなど）長さの整数倍を含む。
【０１６７】
本願実施例において、前記ターゲットリソース領域は、
2021531674.tif 000042
のタイプの伝送リソース構成をサポートし、異なる伝送リソース構成は、異なる時間領域長さ及び／又は周波数領域長さを有し、ここで、前記ターゲットリソース領域が、異なる伝送リソース構成を採用する場合、それに対応して前記最大ブラインド検出回数は異なる。
【０１６８】
例えば、ターゲットリソース領域はＣＯＲＥＳＥＴであり、時間上での当該ＣＯＲＥＳＥＴの長さは、１つのＯＦＤＭシンボル、または２つのＯＦＤＭシンボル、または３つのＯＦＤＭシンボルであり得、この３つのＣＯＲＥＳＥＴの長さは、それぞれ３つのタイプの伝送リソース構成に対応し、この３つのタイプの伝送リソース構成は、それぞれ異なる最大ブラインド検出回数に対応する。
【０１６９】
本願実施例において、前記ターゲットリソース領域は、
2021531674.tif 000043
のタイプの伝送リソース構成をサポートし、異なる伝送リソース構成は、異なる時間領域長さ及び／又は周波数領域長さを有し、ここで、前記パラメータは、
2021531674.tif 000044
を含み、前記Ｔ個の値は、それぞれ異なる伝送リソース構成に対応する。
【０１７０】
例えば、ターゲットリソース領域はＣＯＲＥＳＥＴであり、時間上での当該ＣＯＲＥＳＥＴの長さは、１つのＯＦＤＭシンボル、または２つのＯＦＤＭシンボル、または３つのＯＦＤＭシンボルであり得、この３つのＣＯＲＥＳＥＴの長さは、それぞれ３つのタイプの伝送リソース構成に対応し、前記パラメータは３つの値を含み、それぞれ３つの最大ブラインド検出回数を決定するために使用され、当該３つの最大ブラインド検出回数は、それぞれ３つのタイプの伝送リソース構成に対応する。
【０１７１】
以下、具体的な応用例を参照して、本願実施例の技術的解決策ついて詳細に説明する。
【０１７２】
例１
ターゲットリソース領域はＣＯＲＥＳＥＴであり、時間領域での当該ＣＯＲＥＳＥＴの長さの値は、３つのＯＦＤＭシンボルである。端末機器によってネットワーク機器に送信される第１メッセージのパラメータはＸであり、Ｘは第１時間長を表す。前記第１時間長は、前記端末機器が前記ＣＯＲＥＳＥＴ内のＰＤＣＣＨに対してＮ回のブラインド検出を実行するのに必要な時間、即ち、ブラインド検出総時間を決定するために使用され、ブラインド検出総時間の長さは、ＣＯＲＥＳＥＴの長さより長い。ここで、ブラインド検出総時間の長さは、前記第１時間長と等しく、端末機器は、ＣＯＲＥＳＥＴの時間領域開始位置から、ＰＤＣＣＨに対するブラインド検出を開始する。
【０１７３】
図４を参照すると、Ｎ＝４４、Ｘ＝４（ＯＦＤＭシンボルデータ）であると仮定すると、１つのＣＯＲＥＳＥＴに対する端末機器の４４回のＰＤＣＣＨブラインド検出に、少なくとも４つのＯＦＤＭシンボルに相当する時間がかかる。
【０１７４】
例２
ターゲットリソース領域はＣＯＲＥＳＥＴであり、時間領域での当該ＣＯＲＥＳＥＴの長さの値は、３つのＯＦＤＭシンボルである。端末機器によってネットワーク機器に送信される第１メッセージのパラメータはＹであり、Ｙは第１時間長を表す。前記第１時間長は、前記端末機器が前記ＣＯＲＥＳＥＴ内のＰＤＣＣＨに対してＮ回のブラインド検出を実行するのに必要な時間、即ち、ブラインド検出総時間を決定するために使用され、ブラインド検出総時間の長さは、ＣＯＲＥＳＥＴの長さより長い。ここで、ブラインド検出総時間の長さは、前記ＣＯＲＥＳＥＴの長さに前記第１時間長を加えたものに等しく、端末機器は、ＣＯＲＥＳＥＴの時間領域開始位置から、ＰＤＣＣＨに対するブラインド検出を開始する。
【０１７５】
図５参照すると、Ｎ＝４４であり、Ｙ＝１（ＯＦＤＭシンボルデータ）であると仮定すると、時間領域でのＣＯＲＥＳＥＴの長さの値は、３つのＯＦＤＭシンボルであり、この場合、１つのＣＯＲＥＳＥＴに対する端末機器の４４回のＰＤＣＣＨブラインド検出に、少なくとも４つのＯＦＤＭシンボルに相当する時間がかかる。
【０１７６】
例３
ターゲットリソース領域はＣＯＲＥＳＥＴであり、時間領域での当該ＣＯＲＥＳＥＴの長さの値は、１／２／３つのＯＦＤＭシンボルであり得る。端末機器によってネットワーク機器に送信される第１メッセージのパラメータは、３つの第１時間長をそれぞれ表すＸ１、Ｘ２、及びＸ３を含み、当該３つの第１時間長は、それぞれＣＯＲＥＳＥＴの３つのタイプの伝送リソース構成（即ち、時間領域でのＣＯＲＥＳＥＴの長さの値がそれぞれ１／２／３つのＯＦＤＭシンボルである構成）に対応する。ここで、Ｘ１は、時間領域長さが１つのＯＦＤＭシンボルであるＣＯＲＥＳＥＴに対応するブラインド検出総時間を決定するために使用され、Ｘ２は、時間領域長さが２つのＯＦＤＭシンボルであるＣＯＲＥＳＥＴに対応するブラインド検出総時間を決定するために使用され、Ｘ３は、時間領域長さが３つのＯＦＤＭシンボルであるＣＯＲＥＳＥＴに対応するブラインド検出総時間を決定するために使用される。
【０１７７】
ここで、ブラインド検出総時間の長さは、ＣＯＲＥＳＥＴの長さより長く、ブラインド検出総時間の長さは、前記第１時間長に等しく、端末機器は、ＣＯＲＥＳＥＴの時間領域開始位置から、ＰＤＣＣＨに対するブラインド検出を開始する。
【０１７８】
Ｎ＝４４、Ｘ１＝３、Ｘ２＝４、Ｘ３＝４であると仮定すると、
ＣＯＲＥＳＥＴの時間領域長さが１つのＯＦＤＭシンボルである場合、１つのＣＯＲＥＳＥＴに対する端末機器の４４回のＰＤＣＣＨブラインド検出に、少なくとも３つのＯＦＤＭシンボルに相当する時間がかかる。
【０１７９】
ＣＯＲＥＳＥＴの時間領域長さが２つのＯＦＤＭシンボルである場合、１つのＣＯＲＥＳＥＴに対する端末機器の４４回のＰＤＣＣＨブラインド検出に、少なくとも４つのＯＦＤＭシンボルに相当する時間がかかる。
【０１８０】
ＣＯＲＥＳＥＴの時間領域長さが３つのＯＦＤＭシンボルである場合、１つのＣＯＲＥＳＥＴに対する端末機器の４４回のＰＤＣＣＨブラインド検出に、少なくとも４つのＯＦＤＭシンボルに相当する時間がかかる。
【０１８１】
例４
ターゲットリソース領域はＣＯＲＥＳＥＴであり、時間領域での当該ＣＯＲＥＳＥＴの長さの値は、１／２／３つのＯＦＤＭシンボルであり得る。端末機器によってネットワーク機器に送信される第１メッセージのパラメータは、３つの第１時間長をそれぞれ表すＹ１、Ｙ２、及びＹ３を含み、当該３つの第１時間長は、それぞれＣＯＲＥＳＥＴの３つのタイプの伝送リソース構成（即ち、時間領域でのＣＯＲＥＳＥＴの長さの値がそれぞれ１／２／３つのＯＦＤＭシンボルである構成）に対応する。ここで、Ｙ１は、時間領域長さが１つのＯＦＤＭシンボルであるＣＯＲＥＳＥＴに対応するブラインド検出総時間を決定するために使用され、Ｙ２は、時間領域長さが２つのＯＦＤＭシンボルであるＣＯＲＥＳＥＴに対応するブラインド検出総時間を決定するために使用され、Ｙ３は、時間領域長さが３つのＯＦＤＭシンボルであるＣＯＲＥＳＥＴに対応するブラインド検出総時間を決定するために使用される。
【０１８２】
ここで、ブラインド検出総時間の長さは、ＣＯＲＥＳＥＴの長さより長く、ブラインド検出総時間の長さは、前記ＣＯＲＥＳＥＴの長さに前記第１時間長を加えたものに等しく、端末機器は、ＣＯＲＥＳＥＴの時間領域開始位置から、ＰＤＣＣＨに対するブラインド検出を開始する。
【０１８３】
Ｎ＝４４、Ｙ１＝２、Ｙ２＝２、Ｙ３＝１であると仮定すると、
ＣＯＲＥＳＥＴの時間領域長さが１つのＯＦＤＭシンボルである場合、１つのＣＯＲＥＳＥＴに対する端末機器の４４回のＰＤＣＣＨブラインド検出に、少なくとも３つのＯＦＤＭシンボルに相当する時間がかかる。
【０１８４】
ＣＯＲＥＳＥＴの時間領域長さが２つのＯＦＤＭシンボルである場合、１つのＣＯＲＥＳＥＴに対する端末機器の４４回のＰＤＣＣＨブラインド検出に、少なくとも４つのＯＦＤＭシンボルに相当する時間がかかる。
【０１８５】
ＣＯＲＥＳＥＴの時間領域長さが３つのＯＦＤＭシンボルである場合、１つのＣＯＲＥＳＥＴに対する端末機器の４４回のＰＤＣＣＨブラインド検出に、少なくとも４つのＯＦＤＭシンボルに相当する時間がかかる。
【０１８６】
例５
ターゲットリソース領域はＣＯＲＥＳＥＴであり、時間領域での当該ＣＯＲＥＳＥＴの長さの値は、３つのＯＦＤＭシンボルである。端末機器によってネットワーク機器に送信される第１メッセージのパラメータはＳであり、Ｓは、プリセットされた時間内にＣＯＲＥＳＥＴ内のＰＤＣＣＨに対して端末機器によって実行される最大ブラインド検出回数を表す。ここで、プリセットされた時間の長さは、第２時間長であり、端末機器は、ＣＯＲＥＳＥＴの時間領域開始位置から、ＰＤＣＣＨに対するブラインド検出を開始する。
【０１８７】
第２時間長が４つのＯＦＤＭシンボルであり、Ｓ＝４４であると仮定すると、端末機器は、４つのＯＦＤＭシンボル内に、１つのＣＯＲＥＳＥＴに対して最大４４回のＰＤＣＣＨブラインド検出を実行し得る。
【０１８８】
例６
ターゲットリソース領域はＣＯＲＥＳＥＴであり、時間領域での当該ＣＯＲＥＳＥＴの長さの値は、１／２／３つのＯＦＤＭシンボルであり得る。端末機器によってネットワーク機器に送信される第１メッセージのパラメータは、３つの最大ブラインド検出回数をそれぞれ表すＳ１、Ｓ２、及びＳ３を含み、当該３つの最大ブラインド検出回数は、それぞれＣＯＲＥＳＥＴの３つのタイプの伝送リソース構成（即ち、時間領域でのＣＯＲＥＳＥＴの長さの値がそれぞれ１／２／３つのＯＦＤＭシンボルである構成）に対応する。ここで、Ｓ１に対応する時間領域長さは、１つのＯＦＤＭシンボルのＣＯＲＥＳＥＴであり、Ｓ２に対応する時間領域長さは、２つのＯＦＤＭシンボルのＣＯＲＥＳＥＴであり、Ｓ３に対応する時間領域長さは、３つのＯＦＤＭシンボルのＣＯＲＥＳＥＴである。ここで、ブラインド検出総時間の長さは、第２時間長であり、端末機器は、ＣＯＲＥＳＥＴの時間領域開始位置から、ＰＤＣＣＨに対するブラインド検出を開始する。
【０１８９】
第２時間長が４つのＯＦＤＭシンボルであり、Ｓ１＝４４、Ｓ２＝４４、Ｓ３＝３２であると仮定すると、
ＣＯＲＥＳＥＴの時間領域長さが１つのＯＦＤＭシンボルである場合、端末機器は、４つのＯＦＤＭシンボル内に、１つのＣＯＲＥＳＥＴに対して最大４４回のＰＤＣＣＨブラインド検出を実行し得る。
【０１９０】
ＣＯＲＥＳＥＴの時間領域長さが２つのＯＦＤＭシンボルである場合、端末機器は、４つのＯＦＤＭシンボル内に、１つのＣＯＲＥＳＥＴに対して最大４４回のＰＤＣＣＨブラインド検出を実行し得る。
【０１９１】
ＣＯＲＥＳＥＴの時間領域長さが３つのＯＦＤＭシンボルである場合、端末機器は、４つのＯＦＤＭシンボル内に、１つのＣＯＲＥＳＥＴに対して最大３２回のＰＤＣＣＨブラインド検出を実行し得る。
【０１９２】
例７
ターゲットリソース領域はＣＯＲＥＳＥＴであり、時間領域での当該ＣＯＲＥＳＥＴの長さの値は、１／２／３つのＯＦＤＭシンボルであり得る。端末機器によってネットワーク機器に送信される第１メッセージのパラメータは、レベル１、レベル２、及びレベル３を含み、第１メッセージの３つのレベル情報は、それぞれＣＯＲＥＳＥＴの３つのタイプの伝送リソース構成（即ち、時間領域でのＣＯＲＥＳＥＴの長さの値がそれぞれ１／２／３つのＯＦＤＭシンボルである構成）に対応する。ここで、レベル１は、時間領域長さが１つのＯＦＤＭシンボルであるＣＯＲＥＳＥＴに対応し、レベル２は、時間領域長さが２つのＯＦＤＭシンボルであるＣＯＲＥＳＥＴに対応し、レベル３は、時間領域長さが３つのＯＦＤＭシンボルであるＣＯＲＥＳＥＴに対応する。ここで、ブラインド検出総時間の長さは、第２時間長であり、端末機器は、ＣＯＲＥＳＥＴの時間領域開始位置から、ＰＤＣＣＨに対するブラインド検出を開始する。
【０１９３】
第２時間長が４つのＯＦＤＭシンボルであり、レベル１に対応するブラインド検出回数が４４であり、レベル２に対応するブラインド検出回数が４４であり、レベル３に対応するブラインド検出回数が４２であると仮定すると、
ＣＯＲＥＳＥＴ的時間領域長さが１つのＯＦＤＭシンボルである場合、端末機器は、４つのＯＦＤＭシンボル内に、１つのＣＯＲＥＳＥＴに対して最大４４回のＰＤＣＣＨブラインド検出を実行し得る。
【０１９４】
ＣＯＲＥＳＥＴの時間領域長さが２つのＯＦＤＭシンボルである場合、端末機器は、４つのＯＦＤＭシンボル内に、１つのＣＯＲＥＳＥＴに対して最大４４回のＰＤＣＣＨブラインド検出を実行し得る。
【０１９５】
ＣＯＲＥＳＥＴの時間領域長さが３つのＯＦＤＭシンボルである場合、端末機器は、４つのＯＦＤＭシンボル内に、１つのＣＯＲＥＳＥＴに対して最大４２回のＰＤＣＣＨブラインド検出を実行し得る。
【０１９６】
例８
ターゲットリソース領域はＣＯＲＥＳＥＴであり、時間領域での当該ＣＯＲＥＳＥＴの長さの値は、１／２／３つのＯＦＤＭシンボルであり得る。端末機器によってネットワーク機器に送信される第１メッセージのパラメータは、レベル１、レベル２、及びレベル３を含み、第１メッセージの３つのレベル情報は、それぞれＣＯＲＥＳＥＴの３つのタイプの伝送リソース構成（即ち、時間領域でのＣＯＲＥＳＥＴの長さの値がそれぞれ１／２／３つのＯＦＤＭシンボルである構成）に対応する。ここで、レベル１は、時間領域長さが１つのＯＦＤＭシンボルであるＣＯＲＥＳＥＴに対応し、レベル２は、時間領域長さが２つのＯＦＤＭシンボルであるＣＯＲＥＳＥＴに対応し、レベル３は、時間領域長さが３つのＯＦＤＭシンボルであるＣＯＲＥＳＥＴに対応する。ここで、ブラインド検出総時間の長さは、ＣＯＲＥＳＥＴの長さに第２時間長を加えたものであり、端末機器は、ＣＯＲＥＳＥＴの時間領域開始位置から、ＰＤＣＣＨに対するブラインド検出を開始する。
【０１９７】
第２時間長が１つのＯＦＤＭシンボルであり、レベル１に対応するブラインド検出回数が１６であり、レベル２に対応するブラインド検出回数が３２であり、レベル３に対応するブラインド検出回数が４４であると仮定すると、
ＣＯＲＥＳＥＴの時間領域長さが１つのＯＦＤＭシンボルである場合、端末機器は、２つのＯＦＤＭシンボル内に、１つのＣＯＲＥＳＥＴに対して最大１６回のＰＤＣＣＨブラインド検出を実行し得る。
【０１９８】
ＣＯＲＥＳＥＴの時間領域長さが２つのＯＦＤＭシンボルである場合、端末機器は、３つのＯＦＤＭシンボル内に、１つのＣＯＲＥＳＥＴに対して最大３２回のＰＤＣＣＨブラインド検出を実行し得る。
【０１９９】
ＣＯＲＥＳＥＴの時間領域長さが３つのＯＦＤＭシンボルである場合、端末機器は、４つのＯＦＤＭシンボル内に、１つのＣＯＲＥＳＥＴに対して最大４４回のＰＤＣＣＨブラインド検出を実行し得る。
【０２００】
図６は、本願実施例による情報伝送装置の構成を示す第１の概略図であり、図６に示されるように、前記装置は、
第１メッセージをネットワーク機器に送信するように構成される送信ユニット６０１を備え、前記第１メッセージは、ターゲットリソース領域内のダウンリンク制御チャネルに対する端末機器のブラインド検出のためのパラメータを含む。
【０２０１】
一実施形態では、前記パラメータは、第１時間長を決定するために使用され、前記第１時間長は、前記端末機器が前記ターゲットリソース領域内のダウンリンク制御チャネルに対して
2021531674.tif 000045
のブラインド検出を実行するのに必要な時間を決定するために使用される。
【０２０２】
一実施形態では、前記端末機器が前記ターゲットリソース領域内のダウンリンク制御チャネルに対してＮ回のブラインド検出を実行するのに必要な時間の開始位置は、前記ターゲットリソース領域内の約束された時間領域位置である。
【０２０３】
一実施形態では、前記約束された時間位置は、前記ターゲットリソース領域の時間領域開始位置、又は前記ターゲットリソース領域内の２番目の時間領域シンボルの開始位置、又はＤＭＲＳが前記ターゲットリソース領域に位置する時間領域シンボルの終了位置である。
【０２０４】
一実施形態では、前記端末機器が前記ターゲットリソース領域内のダウンリンク制御チャネルに対してＮ回のブラインド検出を実行するのに必要な時間の長さは、前記第１時間長であり、又は、
前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである。
【０２０５】
一実施形態では、前記ターゲットリソース領域は、
2021531674.tif 000046
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記Ｎの値は異なる。
【０２０６】
一実施形態では、前記ターゲットリソース領域は、
2021531674.tif 000047
のタイプの伝送リソース構成をサポートし、異なる伝送リソース構成は、異なる時間領域長さ及び／又は周波数領域長さを有し、
ここで、前記パラメータは、
2021531674.tif 000048
の前記第１時間長を含み、Ｑ個の前記第１時間長は、それぞれ異なる伝送リソース構成に対応する。
【０２０７】
一実施形態では、前記Ｎの値は、プロトコルによって約束されるか、前記端末機器によって前記ネットワーク機器に報告されるか、前記ネットワーク機器によって前記端末機器に設定される。
【０２０８】
一実施形態では、前記第１時間長は絶対時間長であり、又は、前記第１時間長は、時間領域シンボル長さの整数倍を含む。
【０２０９】
一実施形態では、前記パラメータは、指定された時間内に前記ターゲットリソース領域内のダウンリンク制御チャネルに対して前記端末機器によって実行されるブラインド検出の最大ブラインド検出回数を決定するために使用される。
【０２１０】
一実施形態では、前記指定された時間の開始位置は、前記ターゲットリソース領域内の約束された時間領域位置である。
【０２１１】
一実施形態では、前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である。
【０２１２】
一実施形態では、前記指定された時間の長さは、第２時間長であり、又は、
前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである。
【０２１３】
一実施形態では、前記第２時間長は、プロトコルによって約束されるか、前記端末機器によって前記ネットワーク機器に報告されるか、前記ネットワーク機器によって前記端末機器に設定される。
【０２１４】
一実施形態では、前記第２時間長は絶対時間長であり、又は、前記第２時間長は、時間領域シンボル長さの整数倍を含む。
【０２１５】
一実施形態では、前記ターゲットリソース領域は、
2021531674.tif 000049
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記最大ブラインド検出回数は異なる。
【０２１６】
一実施形態では、前記ターゲットリソース領域は、
2021531674.tif 000050
のタイプの伝送リソース構成をサポートし、異なる伝送リソース構成は、異なる時間領域長さ及び／又は周波数領域長さを有し、
ここで、前記パラメータは、
2021531674.tif 000051
の値を含み、前記Ｔ個の値は、それぞれ異なる伝送リソース構成に対応する。
【０２１７】
一実施形態では、前記ターゲットリソース領域は、制御リソースセットであり、又は、前記ターゲットリソース領域は、時間領域で連続する少なくとも１つの時間領域シンボルを含む。
【０２１８】
一実施形態では、前記端末機器は、ＵＲＬＬＣサービスをサポートする。
【０２１９】
当業者なら自明であるが、図６に示される情報伝送装置の各ユニットによって実現される機能は、前述した情報伝送方法関する説明を参照することによって理解できる。図６に示される情報伝送装置の各ユニットの機能は、プロセッサで実行されるプログラムにより実現されてもよく、特定の論理回路により実現されてもよい。
【０２２０】
図７は、本願実施例による情報伝送装置の構成を示す第２の概略図であり、図７に示されるように、前記装置は、
端末機器によって送信される第１メッセージを受信するように構成される受信ユニット７０１を備え、前記第１メッセージは、ターゲットリソース領域内のダウンリンク制御チャネルに対する前記端末機器のブラインド検出のためのパラメータを含む。
【０２２１】
一実施形態では、前記パラメータは、第１時間長を決定するために使用され、前記第１時間長は、前記端末機器が前記ターゲットリソース領域内のダウンリンク制御チャネルに対して
2021531674.tif 000052
のブラインド検出を実行するのに必要な時間を決定するために使用される。
【０２２２】
一実施形態では、前記端末機器が前記ターゲットリソース領域内のダウンリンク制御チャネルに対してＮ回のブラインド検出を実行するのに必要な時間の開始位置は、前記ターゲットリソース領域内の約束された時間領域位置である。
【０２２３】
一実施形態では、前記約束された時間位置は、前記ターゲットリソース領域の時間領域開始位置、又は前記ターゲットリソース領域内の２番目の時間領域シンボルの開始位置、又はＤＭＲＳが前記ターゲットリソース領域に位置する時間領域シンボルの終了位置である。
【０２２４】
一実施形態では、前記端末機器が前記ターゲットリソース領域内のダウンリンク制御チャネルに対してＮ回のブラインド検出を実行するのに必要な時間の長さは、前記第１時間長であり、又は、
前記端末機器が前記ターゲットリソース領域内のダウンリンク制御チャネルに対してＮ回のブラインド検出を実行するのに必要な時間の長さは、前記ターゲットリソース領域の約束された時間長に前記第１時間長を加えたものであり、前記約束された時間長は、前記約束された時間領域位置から前記ターゲットリソース領域内の最後の時間領域シンボルの終了位置までの長さである。
【０２２５】
一実施形態では、前記ターゲットリソース領域は、
2021531674.tif 000053
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記Ｎの値は異なる。
【０２２６】
一実施形態では、前記ターゲットリソース領域は、
2021531674.tif 000054
のタイプの伝送リソース構成をサポートし、異なる伝送リソース構成は、異なる時間領域長さ及び／又は周波数領域長さを有し、
ここで、前記パラメータは、
2021531674.tif 000055
の前記第１時間長を含み、Ｑ個の前記第１時間長は、それぞれ異なる伝送リソース構成に対応する。
【０２２７】
一実施形態では、前記Ｎの値は、プロトコルによって約束されるか、前記端末機器によって前記ネットワーク機器に報告されるか、前記ネットワーク機器によって前記端末機器に設定される。
【０２２８】
一実施形態では、前記第１時間長は絶対時間長であり、又は、前記第１時間長は、時間領域シンボル長さの整数倍を含む。
【０２２９】
一実施形態では、前記パラメータは、指定された時間内に前記ターゲットリソース領域内のダウンリンク制御チャネルに対して前記端末機器によって実行されるブラインド検出の最大ブラインド検出回数を決定するために使用される。
【０２３０】
一実施形態では、前記指定された時間の開始位置は、前記ターゲットリソース領域内の約束された時間領域位置である。
【０２３１】
一実施形態では、前記約束された時間位置は、前記ターゲットリソース領域の時間領域開始位置、又は前記ターゲットリソース領域内の２番目の時間領域シンボルの開始位置、又は復調基準信号（ＤＭＲＳ）が前記ターゲットリソース領域に位置する時間領域シンボルの終了位置である。
【０２３２】
一実施形態では、前記指定された時間の長さは、第２時間長であり、又は、
前記指定された時間の長さは、前記ターゲットリソース領域の約束された時間長に前記第２時間長を加えたものであり、前記約束された時間長は、前記約束された時間位置から前記ターゲットリソース領域内の最後の時間領域シンボルの終了位置までの長さである。
【０２３３】
一実施形態では、前記第２時間長は、プロトコルによって約束されるか、前記端末機器によって前記ネットワーク機器に報告されるか、前記ネットワーク機器によって前記端末機器に設定される。
【０２３４】
一実施形態では、前記第２時間長は絶対時間長であり、又は、前記第２時間長は、時間領域シンボル長さの整数倍を含む。
【０２３５】
一実施形態では、前記ターゲットリソース領域は、
2021531674.tif 000056
のタイプの伝送リソース構成をサポートし、異なる伝送リソース構成は、異なる時間領域長さ及び／又は周波数領域長さを有し、
ここで、前記ターゲットリソース領域が、異なる伝送リソース構成を採用する場合、それに対応して前記最大ブラインド検出回数は異なる。
【０２３６】
一実施形態では、前記ターゲットリソース領域は、
2021531674.tif 000057
のタイプの伝送リソース構成をサポートし、異なる伝送リソース構成は、異なる時間領域長さ及び／又は周波数領域長さを有し、
ここで、前記パラメータは、
2021531674.tif 000058
の値を含み、前記Ｔ個の値は、それぞれ異なる伝送リソース構成に対応する。
【０２３７】
一実施形態では、前記ターゲットリソース領域は、制御リソースセットであり、又は、前記ターゲットリソース領域は、時間領域で連続する少なくとも１つの時間領域シンボルを含む。
【０２３８】
一実施形態では、前記端末機器は、ＵＲＬＬＣサービスをサポートする。
【０２３９】
当業者なら自明であるが、図７に示される情報伝送装置の各ユニットによって実現される機能は、前述した情報伝送方法関する説明を参照することによって理解できる。図７に示される情報伝送装置の各ユニットの機能は、プロセッサで実行されるプログラムによって実現されてもよく、特定の論理回路によって実現されてもよい。
【０２４０】
図８は、本願実施例による通信機器６００を示す例示的な構造図である。前記通信機器は、端末機器またはネットワーク機器であり得る。図８に示される通信機器６００は、プロセッサ６１０を備え、プロセッサ６１０は、メモリからコンピュータプログラムを呼び出して実行することにより、本願実施例における方法を実現することができる。
【０２４１】
例示的に、図８に示されるように、通信機器６００は、メモリ６２０をさらに備えてもよい。ここで、プロセッサ６１０は、メモリ６２０からコンピュータプログラムを呼び出して実行することにより、本願実施例における方法を実現することができる。
【０２４２】
ここで、メモリ６２０は、プロセッサ６１０から独立した別個のデバイスであってもよく、プロセッサ６１０に統合されたものであってもよい。
【０２４３】
例示的に、図８に示されるように、通信機器６００は、トランシーバ６３０をさらに備えてもよく、プロセッサ６１０は、他の機器と通信するように前記トランシーバ６３０を制御することができ、具体的には、情報またはデータを他の機器に送信するか、または他の機器によって送信される情報またはデータを受信することができる。
【０２４４】
ここで、トランシーバ６３０は、送信機及び受信器を含み得る。トランシーバ６３０は、アンテナをさらに備えてもよく、アンテナの数は、１つまたは複数であり得る。
【０２４５】
例示的に、前記通信機器６００は、具体的には、本願実施例におけるネットワーク機器であってもよく、当該通信機器６００は、本願実施例における各方法においてネットワーク機器によって実現される対応するプロセスを実現でき、簡潔にするために、ここでは繰り返して説明しない。
【０２４６】
例示的に、前記通信機器６００は、具体的には、本願実施例によるモバイル端末／端末機器であってもよく、前記通信機器６００は、本願実施例における各方法においてモバイル端末／端末機器によって実現される対応するプロセスを実現することができ、簡潔にするために、ここでは繰り返して説明しない。
【０２４７】
図９は、本願実施例によるチップを示す例示的な構造図である。図９に示されるチップ７００は、プロセッサ７１０を備え、プロセッサ７１０は、メモリからコンピュータプログラムを呼び出して実行することにより、本願実施例における方法を実現することができる。
【０２４８】
例示的に、図９に示されるように、チップ７００は、メモリ７２０をさらに備えてもよい。ここで、プロセッサ７１０は、メモリ７２０からコンピュータプログラムを呼び出して実行することにより、本願実施例における方法を実現することができる。
【０２４９】
ここで、メモリ７２０は、プロセッサ７１０から独立した別個のデバイスであってもよく、プロセッサ７１０に統合されたものともであってもよい。
【０２５０】
例示的に、前記チップ７００は、入力インターフェース７３０をさらに備えてもよい。ここで、プロセッサ７１０は、他の機器またはチップと通信するように前記入力インターフェース７３０を制御することができ、具体的には、他の機器またはチップによって送信される情報またはデータを取得することができる。
【０２５１】
例示的に、前記チップ７００は、出力インターフェース７４０をさらに備えてもよい。ここで、プロセッサ７１０は、他の機器またはチップと通信するように当該出力インターフェース７４０を制御することができ、具体的には、情報またはデータを他の機器またはチップに出力することができる。
【０２５２】
例示的に、当該チップは、本願実施例におけるネットワーク機器に適用されてもよく、当該チップは、本願実施例における各方法においてネットワーク機器によって実現される対応するプロセスを実現することができ、簡潔にするために、ここでは繰り返して説明しない。
【０２５３】
例示的に、前記チップは、本願実施例におけるモバイル端末／端末機器に適用されてもよく、前記チップは、本願実施例における各方法においてモバイル端末／端末機器によって実現される対応するプロセスを実現することができ、簡潔にするために、ここでは繰り返して説明しない。
【０２５４】
本願実施例で言及されるチップは、システムレベルのチップ、システムチップ、チップシステム、またはシステムオンチップと呼ばれることもできることを理解されたい。
【０２５５】
図１０は、本願実施例による通信システム通信システム９００を示す例示的なブロック図である。図９に示されるように、前記通信システム９００は、端末機器９１０及びネットワーク機器９２０を含む。
【０２５６】
ここで、前記端末機器９１０は、上記の方法において端末によって実現される対応する機能を実現するように構成されてもよく、前記ネットワーク機器９２０は、上記の方法においてネットワーク機器によって実現される対応する機能を実現するように構成されてもよく、簡潔にするために、ここでは繰り返して説明しない。
【０２５７】
本願実施例におけるプロセッサは、信号処理能力を有する集積回路チップであり得ることを理解されたい。実現プロセスにおいて、上記の方法の実施例の各ステップは、プロセッサ内のハードウェアの集積論理回路またはソフトウェアの形の命令によって完了することができる。前記プロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、または他のプログラマブルロジックデバイス、ディスクリートゲートまたはトランジスタロジックデバイス、ディスクリートハードウェアコンポーネント等であってもよく、本願実施例で開示された各方法、ステップ及び論理ブロック図を実現または実行することができる。汎用プロセッサは、マイクロプロセッサであってもよく、または前記プロセッサは、任意の従来のプロセッサ等であってもよい。本願実施例で開示された方法のステップは、ハードウェア復号化プロセッサによって直接実行されてもよく、復号化プロセッサ内のハードウェアとソフトウェアモジュールの組み合わせによって実行されてもよい。ソフトウェアモジュールは、ランダムアクセスメモリ、フラッシュメモリ、読み取り専用メモリ、プログラム可能な読み取り専用メモリ、または電気的に消去可能なプログラム可能なメモリ、レジスタ等の従来の記憶媒体に配置されることができる。前記記憶媒体はメモリ内に配置され、プロセッサはメモリ内の情報を読み取り、そのハードウェアと組み合わせて上記の方法のステップを完了する。
【０２５８】
本願実施例におけるメモリは、揮発性メモリまたは不揮発性メモリであってもよく、または揮発性及び不揮発性メモリの両方を含んでもよいことが理解できる。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが限定的ではない例示によれば、多くの形のＲＡＭ、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）、及びダイレクトメモリバスランダムアクセスメモリ（ＤＲ  ＲＡＭ：Ｄｉｒｅｃｔ  Ｒａｍｂｕｓ  ＲＡＭ）などが利用可能である。本明細書で説明されるシステム及び方法のためのメモリは、これら及び他の任意の適切なタイプのメモリを含むが、これらに限定されないことを意図していることを留意されたい。
【０２５９】
前記メモリは、例示的なものであるが、限定的なものではないことを理解されたい。例えば、本願実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）、ダイレクトメモリバスランダムアクセスメモリ（ＤＲ  ＲＡＭ：Ｄｉｒｅｃｔ  Ｒａｍｂｕｓ  ＲＡＭ）などであってもよい。すなわち、本願実施例は、これら及び他の任意の適切なタイプのメモリを含むことを意図しているが、これらに限定されない。
【０２６０】
本願実施例は、コンピュータプログラムを記憶するためのコンピュータ可読記憶媒体をさらに提供する。
【０２６１】
例示的に、前記コンピュータ可読記憶媒体は、本願実施例におけるネットワーク機器に適用されてもよく、前記コンピュータプログラムは、コンピュータに、本願実施例における各方法においてネットワーク機器によって実現される対応するプロセスを実行させるように構成されてもよく、簡潔にするために、ここでは繰り返して説明しない。
【０２６２】
例示的に、前記コンピュータ可読記憶媒体は、本願実施例におけるモバイル端末／端末機器に適用されてもよく、前記コンピュータプログラムは、コンピュータに、本願実施例における各方法においてモバイル端末／端末機器によって実現される対応するプロセスを実行させるように構成されてもよく、簡潔にするために、ここでは繰り返して説明しない。
【０２６３】
本願実施例は、コンピュータプログラム命令を含むコンピュータプログラム製品をさらに提供する。
【０２６４】
例示的に、前記コンピュータプログラム製品は、本願実施例のネットワーク機器に適用されてもよく、前記コンピュータプログラム命令は、コンピュータに、本願実施例における各方法においてネットワーク機器によって実現される対応するプロセスを実行させるように構成されてもよく、簡潔にするために、ここでは繰り返して説明しない。
【０２６５】
例示的に、前記コンピュータプログラム製品は、本願実施例のモバイル端末／端末機器に適用されてもよく、前記コンピュータプログラム命令は、コンピュータに、本願実施例における各方法においてモバイル端末／端末機器によって実現される対応するプロセスを実行させるように構成されてもよく、簡潔にするために、ここでは繰り返して説明しない。
【０２６６】
本願実施例は、コンピュータプログラムをさらに提供する。
【０２６７】
例示的に、前記コンピュータプログラムは、本願実施例におけるネットワーク機器に適用されてもよく、前記コンピュータプログラムがコンピュータで実行される時に、コンピュータに、本願実施例における各方法においてネットワーク機器によって実現される対応するプロセスを実行させ、簡潔にするために、ここでは繰り返して説明しない。
【０２６８】
例示的に、前記コンピュータプログラムは、本願実施例のモバイル端末／端末機器に適用されてもよく、前記コンピュータプログラムがコンピュータで実行される時に、コンピュータに、本願実施例における各方法においてモバイル端末／端末機器によって実現される対応するプロセスを実行させ、簡潔にするために、ここでは繰り返して説明しない。
【０２６９】
当業者なら自明であるが、本明細書で開示される実施例と組み合わせて説明された各例示のユニット及びアルゴリズムステップは、電子ハードウェア、またはコンピュータソフトウェアと電子ハードウェアの組み合わせによって実現されてもよい。これらの機能がハードウェアの形で実行されるかソフトウェアの形で実行されるかは、技術的解決策の特定の用途及び設計上の制約条件によって決定される。専門技術者は、各特定の用途に応じて異なる方法を使用して説明された機能を実現してもよいが、このような実現は本願の範囲を超えると見なされるべきではない。
【０２７０】
当業者なら明確に理解できるが、説明の便宜及び簡潔のために、上記に説明されたシステム、装置及びユニットの具体的な作業プロセスは、前述の方法の実施例における対応するプロセスを参照することができ、ここでは繰り返して説明しない。
【０２７１】
本願で提供されるいくつかの実施例では、開示されたシステム、装置及び方法は、他の方式で実現できることを理解されたい。例えば、上記で説明された装置の実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、いくつかのインターフェースを使用して実現することができ、装置またはユニット間の間接的な結合または通信接続は、電気的、機械的、または他の形態で実現することができる。
【０２７２】
前記別個のコンポーネントとして説明されたユニットは、物理的に分離されていてもされなくてもよく、ユニットとして表示されたコンポーネントは、物理的ユニットであってもなくてもよい。すなわち、１箇所に配置されてもよく、複数のネットワークユニットに分散されてもよい。実際の需要に応じて、その中のユニットの一部または全部を選択して本実施例における技術的解決策の目的を達成することができる。
【０２７３】
さらに、本願の各実施例における各機能ユニットは１つの処理ユニットに統合されてもよく、または各ユニットが物理的に別々に存在してもよく、または２つまたは２つ以上のユニットが１つのユニットに統合されてもよい。
【０２７４】
前記機能ユニットがソフトウェア機能ユニットの形で実現され、かつ独立した製品として販売または使用される場合、コンピュータ可読記憶媒体に記憶されることができる。このような理解に基づいて、本願の技術的解決策の本質的な部分、すなわち先行技術に貢献のある部分、または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなど、プログラムコードを記憶できる様々な媒体を含む。
【０２７５】
上記の内容は、本願の具体的な実施形態に過ぎず、本願の保護範囲はこれに限定されない。当業者は、本願で開示された技術的範囲内で容易に想到し得る変更または置換は、すべて本願の保護範囲内に含まれるべきである。したがって、本願の保護範囲は、特許請求の範囲の保護範囲に従うものとする。
【図１】
2021531674.tif 000087
【図２】
2021531674.tif 000088
【図３】
2021531674.tif 000089
【図４】
2021531674.tif 000090
【図５】
2021531674.tif 000091
【図６】
2021531674.tif 000092
【図７】
2021531674.tif 000093
【図８】
2021531674.tif 000094
【図９】
2021531674.tif 000095
【図１０】
2021531674.tif 000096
【手続補正書】
【提出日】令和3年5月17日(2021.5.17)
【手続補正１】
【補正対象書類名】明細書
【補正対象項目名】０１９５
【補正方法】変更
【補正の内容】
【０１９５】
ＣＯＲＥＳＥＴの時間領域長さが３つのＯＦＤＭシンボルである場合、端末機器は、４つのＯＦＤＭシンボル内に、１つのＣＯＲＥＳＥＴに対して最大３２回のＰＤＣＣＨブラインド検出を実行し得る。
【手続補正２】
【補正対象書類名】特許請求の範囲
【補正対象項目名】全文
【補正方法】変更
【補正の内容】
【特許請求の範囲】
【請求項１】
情報伝送方法であって、
端末機器が、第１メッセージをネットワーク機器に送信することを含み、前記第１メッセージは、ターゲットリソース領域内のダウンリンク制御チャネルに対する前記端末機器のブラインド検出のためのパラメータを含み、前記パラメータは、指定された時間内に前記ターゲットリソース領域内のダウンリンク制御チャネルに対して前記端末機器によって実行されるブラインド検出の最大ブラインド検出回数を決定するために使用される、前記情報伝送方法。
【請求項２】
前記指定された時間の開始位置は、前記ターゲットリソース領域内の約束された時間領域位置である、
請求項１に記載の情報伝送方法。
【請求項３】
前記約束された時間位置は、前記ターゲットリソース領域の時間領域開始位置である、
請求項２に記載の情報伝送方法。
【請求項４】
前記指定された時間の長さは、第２時間長であり、および前記第２時間長は、プロトコルによって約束されるか、前記端末機器によって前記ネットワーク機器に報告されるか、前記ネットワーク機器によって前記端末機器に構成される、
請求項２または３に記載の情報伝送方法。
【請求項５】
前記第２時間長は絶対時間長であり、又は、前記第２時間長は、時間領域シンボル長さの整数倍を含む、
請求項４のいずれか一項に記載の情報伝送方法。
【請求項６】
前記ターゲットリソース領域は、制御リソースセットであり、又は、前記ターゲットリソース領域は、時間領域で連続する少なくとも２つの時間領域シンボルを含む。
請求項１ないし５のいずれか一項に記載の情報伝送方法。
【請求項７】
時間内の前記ターゲットリソース領域の長さは、２つの時間領域シンボルまたは３つの時間領域シンボルである、
請求項１ないし６のいずれか一項に記載の情報伝送方法。
【請求項８】
前記端末機器は、超高信頼性低遅延通信（ＵＲＬＬＣ）サービスをサポートする、
請求項１ないし７のいずれか一項に記載の情報伝送方法。
【請求項９】
情報伝送方法であって、
ネットワーク機器が、端末機器によって送信される第１メッセージを受信することを含み、前記第１メッセージは、ターゲットリソース領域内のダウンリンク制御チャネルに対する前記端末機器のブラインド検出のためのパラメータを含み、前記パラメータは、指定された時間内に前記ターゲットリソース領域内のダウンリンク制御チャネルに対して前記端末機器によって実行されるブラインド検出の最大ブラインド検出回数を決定するために使用される、前記情報伝送方法。
【請求項１０】
前記指定された時間の開始位置は、前記ターゲットリソース領域内の約束された時間領域位置である、
請求項９に記載の情報伝送方法。
【請求項１１】
前記約束された時間位置は、前記ターゲットリソース領域の時間領域開始位置である、
請求項１０に記載の情報伝送方法。
【請求項１２】
前記指定された時間の長さは、第２時間長であり、および前記第２時間長は、プロトコルによって約束されるか、前記端末機器によって前記ネットワーク機器に報告されるか、前記ネットワーク機器によって前記端末機器に構成される、
請求項１０または１１に記載の情報伝送方法。
【請求項１３】
前記第２時間長は絶対時間長であり、又は、前記第２時間長は、時間領域シンボル長さの整数倍を含む、
請求項１２に記載の情報伝送方法。
【請求項１４】
前記ターゲットリソース領域は、制御リソースセットであり、又は、前記ターゲットリソース領域は、時間領域で連続する少なくとも２つの時間領域シンボルを含む、
請求項９ないし１３のいずれか一項に記載の情報伝送方法。
【請求項１５】
時間内の前記ターゲットリソース領域の長さは、２つの時間領域シンボルまたは３つの時間領域シンボルである、
請求項９ないし１４のいずれか一項に記載の情報伝送方法。
【請求項１６】
前記端末機器は、超高信頼性低遅延通信（ＵＲＬＬＣ）サービスをサポートする、
請求項９ないし１５のいずれか一項に記載の情報伝送方法。
【請求項１７】
端末機器であって、プロセッサと、トランシーバと、メモリとを備え、前記メモリは、コンピュータプログラムを記憶するように構成され、前記プロセッサは、前記メモリに記憶されたコンピュータプログラムを呼び出して実行することにより、トランシーバと連携して請求項１ないし８のいずれか一項に記載の方法を実行するように構成される、前記端末機器。
【請求項１８】
チップであって、プロセッサを備え、前記プロセッサは、メモリからコンピュータプログラムを呼び出して実行することにより、前記チップが搭載された機器に、請求項１ないし８のいずれか一項に記載の方法、または請求項９ないし１６のいずれか一項に記載の方法を実行させるように構成される、前記チップ。
【国際調査報告】
2021531674.tif 000097
2021531674.tif 000098
2021531674.tif 000099
2021531674.tif 000100